(57)【要約】  本発明は、種子コーティング剤を乾燥イネ種子の表面に少なくとも部分的に施用する、コーティングされたイネ種子の調製方法であって、前記種子コーティング剤が少なくともエチレン−酢酸ビニルコポリマーおよび少なくとも一つの農薬を含む方法を提供する。本発明はさらに、コーティングされたイネ種子ならびに植え付け前に真菌病害および／または有害生物に対してイネ植物の発芽苗を保護する方法を提供する。【特許請求の範囲】
【請求項１】
種子コーティング剤を乾燥イネ種子の表面に少なくとも部分的に施用するコーティングされたイネ種子の調製方法であって、前記種子コーティング剤が、少なくともエチレン−酢酸ビニルコポリマーおよび少なくとも一つの農薬を含むことを特徴とする方法。
【請求項２】
前記コポリマーが、少なくとも次のモノマー：
ａ．酢酸ビニル、
ｂ．下記一般式（Ｉ）の（メタ）アクリル酸モノマー：
【化１】
2017535254.tif 000007
（式中、Ｒは少なくとも３個の炭素原子を有する飽和もしくは不飽和の有機基であり、Ｒ′は水素もしくはメチル基である。）、および
ｃ．エチレン
を反応させることで製造される請求項１に記載の方法。
【請求項３】
前記コポリマーが、少なくとも：
ａ．酢酸ビニル３５から５０重量％、特には３８から４８重量％、好ましくは４０から４５重量％；
ｂ．一般式（Ｉ）の（メタ）アクリル酸モノマー２５から５５％重量％、特には３０から５０重量％、好ましくは３５から４５重量％；
ｃ．エチレン５から２５重量％、特には１０から２５重量％、好ましくは１５から２３重量％；および
ｄ．アクリル酸０から５重量％、特には０．１から４．５重量％、好ましくは０．５から４．０重量％
から製造される、請求項２に記載の方法。
【請求項４】
置換基Ｒが４から１５個の炭素原子、特には５から１０個を有し、好ましくは、ｎ−ブチル、ｎ−ペンチル、ｎ−ヘキシル、シクロヘキシル、イソヘプチル、ｎ−ノニル、ｎ−デシル、イソヘキシル、イソボルニル、２−エチルオクチル、イソオクチル、２−エチルヘキシル、テトラヒドロフルフリル、エトキシエトキシエチル、フェノキシエチル、環状トリメチルプロパンホルマール、３，３，５−トリメチルシクロヘキシル、ｔ−ブチルシクロヘキシルおよび／またはｔ−ブチルから選択される請求項２または３に記載の方法。
【請求項５】
前記コポリマーがエチレン−アクリル酸−２−エチルヘキシル−酢酸ビニルコポリマーである請求項１から４のいずれか１項に記載の方法。
【請求項６】
前記コポリマーが、加熱速度２０Ｋ／分でのＤＩＮ５３７６５およびタンジェント法および不活性ガスとしての窒素を用いる中間点温度としてのＴｇの定義に従ってダイナミック示差走査熱量測定によって測定されるガラス転移温度Ｔｇ−６０から２０℃を有し、Ｔｇが特には−１０℃以下、好ましくは−２０℃以下である請求項１から５のいずれか１項に記載の方法。
【請求項７】
前記コポリマーを、分散液の形態で、特には水系分散液の形態で種子に施用し、前記コーティング剤を施用した後に当該イネ種子を乾燥させる請求項１から６のいずれか１項に記載の方法。
【請求項８】
前記分散液が、２０ｒｐｍおよび２５℃でＤＩＮ  ＥＮ  ＩＳＯ２５５５、ＲＶＴ、スピンドル番号４によって測定されるブルックフィールド粘度１０００から３０，０００ｍＰａ・ｓ、特には１，５００から２０，０００ｍＰａ・ｓ、好ましくは２，０００から１０，０００ｍＰａ・ｓを有する請求項７に記載の方法。
【請求項９】
前記分散液が、３０分、１３０℃でＤＩＮ  ＥＮ  ＩＳＯ３２５１に従って測定した３０から８０重量％、特には５０から７０重量％、好ましくは５５から６５重量％の固体含有量を有する請求項７または８に記載の方法。
【請求項１０】
前記分散液が、水との１：１混合物でのＤＩＮ  ＩＳＯ９７６に従って測定されるｐＨ値４から７、特には４．５から６．５を有する請求項７から９のいずれか１項に記載の方法。
【請求項１１】
前記分散液が０．１から５μｍ、特には０．２から２．０μｍの平均粒径ｄ５０を有する請求項７から１０のいずれか１項に記載の方法。
【請求項１２】
前記分散液がＤＩＮ  ＩＳＯ２１１５に従って測定される最低フィルム形成温度０℃を有する請求項７から１１のいずれか１項に記載の方法。
【請求項１３】
分散液が、可塑剤および／またはノニオン系洗浄剤をほとんど含まず、特にはアルキルフェノールエトキシレートをほとんど含まない請求項７から１２のいずれか１項に記載の方法。
【請求項１４】
前記農薬が、殺虫剤、殺菌剤、殺細菌剤、殺ウィルス剤、殺ダニ剤、軟体動物駆除剤、殺線虫剤、殺卵剤、忌避剤、殺鼠剤、除草剤、薬害軽減剤、肥料、生物剤、またはこれらの混合物を含む群から選択される請求項１から１３のいずれか１項に記載の方法。
【請求項１５】
少なくとも一つの農薬が、イソチアニル、セダキサン、ペンフルフェン、アゾール系殺菌剤、特にはテブコナゾール、イプコナゾール、プロピコナゾールもしくはジフェノコナゾール、ストロビルリン類、特にはトリフロキシストロビン、アゾキシストロビンもしくはピコキシストロビン、ペンチオピラド、メタラキシル、フルジオキソニル、チアジニル、フィプロニル、フルベンジアミド、クロラントラニリプロール、シアントラニリプロール、イミダクロプリド、チアクロプリド、チアメトキサム、クロチアニジン、スピノサド、エチプロールまたはこれらの混合物、好ましくは
ａ．イソチアニルとトリフロキシストロビン、
ｂ．イソチアニルとペンフルフェン、
ｃ．ペンフルフェンとトリフロキシストロビン、または
ｄ．イソチアニルとアセタミプリド
の組み合わせから選択される請求項１から１４のいずれか１項に記載の方法。
【請求項１６】
前記種子コーティング剤がさらに、少なくとも一つの着色剤、界面活性剤、有機溶媒および／またはさらなるポリマーもしくはコポリマーを含む請求項１から１５のいずれか１項に記載の方法。
【請求項１７】
前記コポリマーおよび前記農薬を混和してから種子に施用し、特には次に、前記コーティングされたイネ種子をさらなる農薬、好ましくは殺虫剤で処理する請求項１から１６のいずれか１項に記載の方法。
【請求項１８】
前記コポリマーおよび前記農薬を種子に順次施用し、好ましくは前記種子を、最初に少なくとも一つの農薬でコーティングし、前記コポリマーでコーティングする請求項１から１６のいずれか１項に記載の方法。
【請求項１９】
前記コポリマーの施用量が、未処理種子重量に対して０．００１から２．５重量％、特には０．０１から１．２５重量％、好ましくは０．０２５から１重量％である請求項１から１８のいずれか１項に記載の方法。
【請求項２０】
前記農薬の施用量が未処理種子重量に対して０．００１から５重量％、特には０．０１から２．５重量％、好ましくは０．０５から１重量％である請求項１から１９のいずれか１項に記載の方法。
【請求項２１】
イネ種子処理剤で少なくとも部分的にコーティングされているコーティングされたイネ種子であって、前記イネ種子処理剤が、
ａ．エチレン−酢酸ビニルコポリマーおよび
ｂ．少なくとも一つの農薬
を含むコーティングされたイネ種子。
【請求項２２】
前記イネ種子を２５℃の水に浸漬し、次に前記浸漬されたイネ種子を７℃および５５％相対湿度で１４４時間インキュベーションした後に、同じ品種および植物齢の未処理イネ種子と比較して０から１０％の平均発芽率低下を示す、請求項２１に記載のコーティングされたイネ種子。
【請求項２３】
前記イネ種子を２５℃の水に撹拌せずに２４時間浸漬する際の前記農薬の放出速度が、前記コーティング剤中の農薬の総重量と比較して５重量％以下、特には３重量％以下であり、前記農薬が特には殺菌剤から選択される、請求項２１または２２に記載のコーティングされたイネ種子。
【請求項２４】
植え付け前に真菌病害および／または有害生物に対してイネ植物の発芽苗を保護する方法であって、
ａ．請求項２１から２３のいずれか１項に記載の前記コーティングされたイネ種子を水に、特に少なくとも１２時間浸漬する段階、および
ｂ．所望に応じて、前記浸漬されたイネ種子を少なくとも３６時間、特には少なくとも７２時間インキュベートする段階
を含み、
適宜に、浸漬および／またはインキュベーション時に少なくとも一つのさらなる農薬を前記イネ種子に施用し、前記さらなる農薬が特には殺虫剤、好ましくはチアメトキサム、イミダクロプリド、クロチアニジンまたはこれらの混合物である方法。
【請求項２５】
前記病害および／または有害生物保護が、前記浸漬およびインキュベートされた種子の移植後５０日以上でなお観察される請求項２４に記載の方法。
【請求項２６】
前記病害が、糸状菌および／または微生物によって引き起こされる請求項２４または２５に記載の方法。
【請求項２７】
前記病害が、イネイモチ病（ピリクラリア・オリザエ（Ｐｙｒｉｃｕｌａｒｉａ  ｏｒｙｚａｅ）に起因）、イネ褐点病もしくはイネ赤かび病（コクリオボルス・ミヤベアヌス（Ｃｏｃｈｌｉｏｂｏｌｕｓ  ｍｉｙａｂｅａｎｕｓ）に起因）、イネ紋枯病（リゾクトニア・ソラニ（Ｒｈｉｚｏｃｔｏｎｉａ  ｓｏｌａｎｉ）に起因）、イネ白葉枯病（キサントモナス・オリザエｐｖ．オリザエ（Ｘａｎｔｈｏｍｏｎａｓ  ｏｒｙｚａｅ  ｐｖ．  ｏｒｙｚａｅ）に起因）、イネもみ枯細菌病（ブルクホルデリア・グルマエ（Ｂｕｒｋｈｏｌｄｅｒｉａ  ｇｌｕｍａｅ）に起因）またはこれらの組み合わせから選択される請求項２４から２６のいずれか１項に記載の方法。
【請求項２８】
前記有害生物が、特にイネミズゾウムシ（Ｌｉｓｓｏｒｈｏｐｔｒｕｓ  ｏｒｙｚｏｐｈｉｌｕｓ）、イネドロオイムシ（Ｏｕｌｅｍａ  ｏｒｙｚａｅ  Ｋｕｗａｙａｍａ）、ウンカ科（Ｄｅｌｐｈａｃｉｄａｅ）、ツマグロヨコバイ（Ｎｅｐｈｏｔｅｔｔｉｘ  ｃｉｎｃｔｉｃｅｐｓ）、イネミギワバエ（Ｈｙｄｒｅｌｌｉａ  ｇｒｉｓｅｏｌａ）（ｒｉｃｅ  ｌｅａｆ  ｍｉｎｅｒ）、イチモンジセセリ（Ｐａｒｎａｒａ  ｇｕｔｔａｔａ）（ｒｉｃｅ  ｓｋｉｐｐｅｒ）、フタオビコヤガ（Ｎａｒａｎｇａ  ａｅｎｅｓｃｅｎｓ  Ｍｏｏｒｅ）、コブノメイガ（Ｃｎａｐｈａｌｏｃｒｏｃｉｓ  ｍｅｄｉｎａｌｉｓ）、ニカメイガ（Ｃｈｉｌｏ  ｓｕｐｐｒｅｓｓａｌｉｓ）、イネアザミウマ（Ｓｔｅｎｃｈａｅｔｏｔｈｒｉｐｓ  ｂｉｆｏｒｍｉｓ）（ｒｉｃｅ  ｔｈｒｉｐｓ）またはこれらの組み合わせから選択される動物有害生物である請求項２４から２７のいずれか１項に記載の方法。
【発明の詳細な説明】
【技術分野】
【０００１】
本発明は、種子コーティング剤を少なくとも部分的に乾燥イネ種子の表面に施用するコーティングされたイネ種子の調製方法、コーティングされたイネ種子、ならびに植え付け前に真菌病害および／または有害生物に対してイネ植物の出芽苗を保護する方法に関するものである。
【背景技術】
【０００２】
移植イネのための、および／または動物有害生物を防除するための病害予防処理は公知であり、水田または苗床箱に農薬を噴霧するか、粒剤を施用する。しかしながら、水田への移植後にイネの病害を予防するため、および／または動物有害生物を防除するための水田への農薬のこの使用は、多量の農薬が必要であるか、農薬の効果が長続きしないという問題を有する。水田での量と比較して苗床箱への噴霧または粒剤農薬施用を行うと農薬量を減らすことができるとしても、場合により、使用される農薬量はなお大きく、効果の持続性は不十分である。
【０００３】
播種の前に、イネ種子を浸漬またはインキュベートすることができる。イネ種子を保護するため、農薬、特には殺菌剤を、浸漬水に、または浸漬後もしくは移植前の発芽後に種子に直接加えることができる（日本特許出願公開番号９２２４４２４、日本特許出願公開番号１１０２８００６、日本特許出願公開番号１１０４９６１２）。しかしながら、この戦略は常に満足できるものであるとは限らず、それは、使用される農薬が十分な濃度で種子表面に残留しない可能性があり、インキュベーション後もしくは移植後それぞれで洗い流されることで、病害や有害生物保護が不十分であるためである。
【０００４】
例えば、ＥＰ１０７８５６３Ｂ１には、ポリマーおよび少なくとも一つの有効成分を含むコーティング組成物で種子をコーティングする、低温施用用の種子コーティング剤組成物が記載されている。これらの組成物を直接播種用のイネ種子に用いることができるが、播種前に最初にイネ種子を浸漬およびインキュベートする必要がある場合、コーティングの洗い落としのために、イネ種子に適さない。
【先行技術文献】
【特許文献】
【０００５】
【特許文献１】日本特許出願公開番号９２２４４２４
【特許文献２】日本特許出願公開番号１１０２８００６
【特許文献３】日本特許出願公開番号１１０４９６１２
【特許文献４】ＥＰ１０７８５６３Ｂ１
【発明の概要】
【発明が解決しようとする課題】
【０００６】
従って、本発明の目的は、これらの欠点を改善し、従来の苗床箱処理で使用される農薬と比較して使用される農薬の量を大きく減らし、そして簡単で費用のかからない、水田で長い残留効果を有する移植イネでの病害を予防し、および／または動物有害生物を防除する方法を提供することにある。
【課題を解決するための手段】
【０００７】
上記問題を解決するために鋭意研究することで、本発明者らは、少なくともエチレン−酢酸ビニルコポリマーおよび少なくとも一つの農薬でイネ種子を処理することで、水に浸漬し、農薬がほとんど洗い落とされることなくインキュベート可能なコーティングされたイネ種子を得ることが可能であることを見出した。驚くべきことに、エチレン−酢酸ビニルコポリマーが十分に水浸透性であることから、浸漬およびインキュベーションが妨害されないために、未処理イネ種子と比較して発芽率低下がほとんどないか、ごくわずかでしかないことが見出された。同時に、エチレン−酢酸ビニルコポリマーは、浸漬水に溶けず、例えば農薬用の基材や基質として働くことができる。
【０００８】
従って、本発明の第一の実施形態は、種子コーティング剤を乾燥イネ種子の表面に少なくとも部分的に施用するコーティングされたイネ種子の調製方法であって、前記種子コーティング剤が、少なくともエチレン−酢酸ビニルコポリマーおよび少なくとも一つの農薬を含むことを特徴とする方法である。
【発明を実施するための形態】
【０００９】
本発明において、「コポリマー」という用語は、２以上の異なるモノマーを含むポリマーに用いられる。特に、３種類または４種類の異なるモノマーを含むポリマーも、本発明による「コポリマー」と見なされる。
【００１０】
「乾燥イネ種子」という用語は、後に種子として用いる貯蔵に適した形態のイネを意味する。イネ種子は、イネ種子に代表的な残存（ｒｅｓｔ）含水量、例えば２０重量％以下、特には１５重量％以下、好ましくは１４重量％以下を有することができる。その含水量は、Ｐｆｅｕｆｆｅｒ  ＨＥ５０のような穀類用の代表的な水分分析装置によって、またはカール−フィッシャー法による滴定によって求めることができる。
【００１１】
種子は１回または数回コーティングすることができるが、コーティング層の組成は同一であっても異なっていても良い。例えば、内側コーティング層はエチレン−酢酸ビニルコポリマーおよび少なくとも一つの殺菌剤を含むことができるが、次の外側層は、適宜に、いずれか好適な種類のポリマー結合剤のような結合剤または本発明に記載のエチレン−酢酸ビニルコポリマーとともに、少なくとも一つの殺虫剤を含むことができる。
【００１２】
本発明の好ましい実施形態によれば、前記コポリマーは、少なくとも次のモノマー：
ａ）酢酸ビニル、
ｂ）下記一般式（Ｉ）の（メタ）アクリル酸モノマー：
【化１】
2017535254.tif 000002
【００１３】
（式中、Ｒは少なくとも３個の炭素原子を有する飽和もしくは不飽和の有機基であり、Ｒ′は水素もしくはメチル基である。）、および
ｃ）エチレン
を反応させることで製造される。
【００１４】
これらのモノマーは、好ましくは、酢酸ビニル３５から５０重量％、特には３８から４８重量％、好ましくは４０から４５重量％；一般式（Ｉ）の（メタ）アクリル酸モノマー２５から５５％重量％、特には３０から５０重量％、好ましくは３５から４５重量％、特別に好ましくは３５から４０重量％；エチレン５から２５重量％、特には８から２０重量％、好ましくは１０から１８重量％；およびアクリル酸０から５重量％、特には０．１から４．５重量％、好ましくは０．５から４．０重量％の量で存在することができる。
【００１５】
別の実施形態において、これらのモノマーは、好ましくは、酢酸ビニル３５から５０重量％、特には３８から４８重量％、好ましくは４０から４５重量％の；一般式（Ｉ）の（メタ）アクリル酸モノマー２５から５５％重量％、特には３０から５０重量％、好ましくは３５から４５重量％、特別に好ましくは３５から４０重量％；エチレン５から２５重量％、特には１０から２５重量％、好ましくは１５から２３重量％の量で存在することができる。
【００１６】
別の好ましい実施形態においては、上記成分に加えて、アクリル酸が、０から５重量％、特には０．１から４．５重量％、好ましくは０．５から４．０重量％の量で存在する。
【００１７】
そのようなコポリマーは、十分な水浸透性を維持しながら浸漬およびインキュベーション時の種子からの農薬洗い落としを効果的に防止することができることから有利である。さらに、そのようなコポリマーを水系分散液として用いる場合、ほとんどの農薬を添加および混和することができ、安定な分散液が得られ、それによって、さらなる処理、すなわち種子のコーティングが扱いやすくなる。最後に、上記量のモノマーでのコポリマーは室温条件で粘着性をもたらし、それは種子にコーティングを固定するのに有利である。
【００１８】
（メタ）アクリル酸モノマーは、式Ｉのアクリル酸モノマー（すなわち、Ｒ′＝Ｈ）、式Ｉのメタクリル酸モノマー（すなわちＲ′＝ＣＨ３）または両方の混合物と定義される。
【００１９】
好ましい実施形態において、前記コポリマーはアクリル酸を含まない。
【００２０】
特に好ましい実施形態において、前記コポリマーは、酢酸ビニル、一般式（Ｉ）の（メタ）アクリル酸モノマーおよびエチレンからなる。
【００２１】
さらに好ましくは、前記コポリマーは、酢酸ビニル４０から４５重量％；エチルヘキシルアクリレート３５から４５重量％、およびエチレン１５から２３重量％からなり、そのポリマーは、ポリマー内で化学的に結合したアクリル酸を含まない。
【００２２】
本願において別段の断りがなければ、一般におよび特にモノマーについてのパーセンタイルは、合計で１００％となる。
【００２３】
本発明の方法に使用されるコポリマーは、当業者に公知のいずれかの方法によって製造することができる。特に、コポリマーは、単に例としてであるが、ラジカル乳化重合によって製造することができる。乳濁液は、エチレンなどの気体モノマーを組み込むコポリマー製造で広く使用される加圧下での標準的な乳化重合経路を用いて製造することができる。乳濁液は、バッチ、半バッチまたは連続供給バッチを用いて製造することができ、これら３種類のバッチはいずれも工業的に用いられるものである。
【００２４】
一般式（Ｉ）の（メタ）アクリル酸モノマーは、１以上の（メタ）アクリル酸アルキル、すなわち１以上の（メタ）アクリル酸アルキルエステルモノマーを含むことができる。有用な（メタ）アクリル酸アルキル類には、三級もしくは非三級アルキルアルコール類の直鎖もしくは分岐の単官能性不飽和（メタ）アクリル酸エステルなどがあり、そのアルキル基は４から１５、特には５から１０個の炭素原子を有し、すなわち式Ｉにおける置換基Ｒは４から１５個の炭素原子、特には５から１０個を有し、Ｒは好ましくは、ｎ−ブチル、ｎ−ペンチル、ｎ−ヘキシル、シクロヘキシル、イソヘプチル、ｎ−ノニル、ｎ−デシル、イソヘキシル、イソボルニル、２−エチルオクチル、イソオクチル、２−エチルヘキシル、テトラヒドロフルフリル、エトキシエトキシエチル、フェノキシエチル、環状トリメチルプロパンホルマール、３，３，５−トリメチルシクロヘキシル、ｔ−ブチルシクロヘキシルおよび／またはｔ−ブチルから選択される。すなわち、これらアクリル酸アルキルの例には、アクリル酸およびメタクリル酸ｎ−ブチル、ｎ−ペンチル、ｎ−ヘキシル、シクロヘキシル、イソヘプチル、ｎ−ノニル、ｎ−デシル、イソヘキシル、イソボルニル、２−エチルオクチル、イソオクチル、２−エチルヘキシル、テトラヒドロフルフリル、エトキシエトキシエチル、フェノキシエチル、環状トリメチルプロパンホルマール、３，３，５−トリメチルシクロヘキシル、ｔ−ブチルシクロヘキシル、ｔ−ブチルなどがある。好ましいアクリル酸アルキルには、アクリル酸イソオクチル、アクリル酸２−エチルヘキシル、アクリル酸ｎ−ブチル、アクリル酸テトラヒドロフルフリル、アクリル酸イソボルニル、アクリル酸エトキシエトキシエチル、アクリル酸フェノキシエチル、アクリル酸３，３，５−トリメチルシクロヘキシルおよびアクリル酸シクロヘキシルなどがある。
【００２５】
さらなる好ましい実施形態において、コポリマーは、エチレン−アクリル酸２−エチルヘキシル−酢酸ビニルコポリマーである。
【００２６】
本発明で使用されるコポリマーは、加熱速度２０Ｋ／分でのＤＩＮ５３７６５およびタンジェント法および不活性ガスとしての窒素を用いる中間点温度としてのＴｇの定義に従ってダイナミック示差走査熱量測定によって測定されるガラス転移温度Ｔｇ−１００から２０℃を有することができ、Ｔｇは特には−６０から２０℃、好ましくは−１０℃以下、より好ましくは−２０℃以下である。特に好ましくは、Ｔｇは−６０から０℃、−６０から−２０℃または−６０から−４０℃である。コポリマーがイネ種子の通常の貯蔵温度条件下で弾性状態および粘着性状態に留まることから、コーティング剤の良好な固定化が達成され、コーティング剤の剥離が回避され得ることから、それが有利である。
【００２７】
コポリマーは、当業者に公知の形態で、好ましくは分散液の形態で種子に付与することができる。発芽率に関して溶媒の悪影響が出る恐れが全くないことから、水系分散液が好ましい。コーティング剤を付与してから、イネ種子を乾燥させる。これは、室温または若干高温で、例えば３０℃または３５℃で行うことができる。温風吹き込みやスプレー乾燥のような技術も用いることができる。
【００２８】
取り扱い易さのため、コポリマー分散液は、２０ｒｐｍおよび２５℃でＤＩＮ  ＥＮ  ＩＳＯ２５５５、ＲＶＴ、スピンドル番号４による測定でブルックフィールド粘度５００から３０，０００ｍＰａ・ｓ、特には１，０００から３０，０００ｍＰａ・ｓ、好ましくは１，５００から２０，０００ｍＰａ・ｓ、より好ましくは２，０００から１０，０００ｍＰａ・ｓを有することができる。これによって、所望のコーティング厚さの達成を確保しながらの容易なコーティング手順が可能となる。そうでなければ、所望のコーティング厚さが達成されるまで、各コーティング段階後に乾燥段階を行いながら、コーティングを１回または数回繰り返すことができる。さらなるコーティング層は農薬を全く含まないものであっても良いことから、それは保護層として働く。
【００２９】
１実施形態において、本発明のコポリマーは、１０，０００から３００，０００ｇ／ｍｏｌ、好ましくは１００，０００から３００，０００ｇ／ｍｏｌ、より好ましくは１２５，０００から３００，０００ｇ／ｍｏｌ；さらにより好ましくは２００，０００から２８０，０００ｇ／ｍｏｌ、例えば２４０，０００±１０，０００ｇ／ｍｏｌの範囲の重量平均分子量Ｍｗを有することができ、モノマーは好ましくは、酢酸ビニル３５から５０重量％、特には３８から４８重量％、好ましくは４０から４５重量％；一般式（Ｉ）の（メタ）アクリル酸モノマー２５から５５％重量％、特には３０から５０重量％、好ましくは３５から４５重量％、特別に好ましくは３５から４０重量％；エチレン５から２５重量％、特には１０から２５重量％、好ましくは１５から２３重量％の量で存在することができ、当該コポリマーはアクリル酸を含まない。
【００３０】
１実施形態において、本発明のコポリマーは、１０，０００から１２５，０００ｇ／ｍｏｌの範囲の重量平均分子量Ｍｗを有することができ、第一の実施形態では、本発明のコポリマーは１０，０００から７５，０００ｇ／ｍｏｌ、好ましくは１０，０００から２５，０００ｇ／ｍｏｌ、より好ましくは１０，０００から１８，０００ｇ／ｍｏｌの範囲の重量平均分子量Ｍｗを有することができ、第２の実施形態では７５，０００から１２５，０００ｇ／ｍｏｌである。
【００３１】
特に、１実施形態において、本発明のコポリマーは、Ｍｗ１０，０００から７５，０００、好ましくは１０，０００から２５，０００ｇ／ｍｏｌ、より好ましくは１０，０００から１８，０００ｇ／ｍｏｌの範囲の重量平均分子量を有することができ、モノマーは好ましくは、酢酸ビニル３５から５０重量％、特に３８から４８重量％、好ましくは４０から４５重量％；一般式（Ｉ）の（メタ）アクリル酸モノマー２５から５５％重量％、特に３０から５０重量％、好ましくは３５から４５重量％、特に好ましくは３５から４０重量％；エチレン５から２５重量％、特に１０から２５重量％、好ましくは１５から２３重量％の量で存在することができ；当該コポリマーはアクリル酸を含まない。別の実施形態において、本発明のコポリマーは、１２５，０００から２５０，０００ｇ／ｍｏｌの範囲の重量平均分子量Ｍｗを有することができる。
【００３２】
さらに別の実施形態において、本発明のコポリマーは、２５０，０００から１，５００，０００ｇ／ｍｏｌの範囲の重量平均分子量Ｍｗを有することができ、第一の実施形態において、本発明のコポリマーは２５０，０００から７５０，０００ｇ／ｍｏｌの範囲の重量平均分子量Ｍｗを有することができ、第２の実施形態では７５０，０００から１，５００，０００ｇ／ｍｏｌ、好ましくは１，０００，０００から１，５００，０００ｇ／ｍｏｌ、より好ましくは１，１５０，０００から１，４５０，０００ｇ／ｍｏｌである。
【００３３】
特に、１実施形態において、本発明のコポリマーは、７５０，０００から１，５００，０００ｇ／ｍｏｌ、好ましくは１，０００，０００から１，５００，０００ｇ／ｍｏｌ、より好ましくは１，１５０，０００から１，４５０，０００ｇ／ｍｏｌの範囲の重量平均分子量Ｍｗを有することができ、モノマーは好ましくは、酢酸ビニル３５から５０重量％、特に３８から４８重量％、好ましくは４０から４５重量％；一般式（Ｉ）の（メタ）アクリル酸モノマー２５から５５％重量％、特に３０から５０重量％、好ましくは３５から４５重量％、特に好ましくは３５から４０重量％；エチレン５から２５重量％、特に１０から２５重量％、好ましくは１５から２３重量％の量で存在することができ；コポリマーはアクリル酸を含まない。
【００３４】
さらに別の実施形態において、本発明のコポリマーは、１，５００，０００から１０，０００，０００ｇ／ｍｏｌの範囲の重量平均分子量Ｍｗを有することができ、第一の実施形態において、本発明のコポリマーは１，５００，０００から５，５５０，０００ｇ／ｍｏｌ、好ましくは１，５００，０００から３，０００，０００ｇ／ｍｏｌ、より好ましくは１，５００，０００から２，０００，０００ｇ／ｍｏｌの範囲の重量平均分子量Ｍｗを有することができ；第２の実施形態では、５，５００，０００から１０，０００，０００ｇ／ｍｏｌである。
【００３５】
特に、１実施形態において、本発明のコポリマーは、１，５００，０００から５，５５０，０００ｇ／ｍｏｌ、好ましくは１，５００，０００から３，０００，０００ｇ／ｍｏｌ、より好ましくは１，５００，０００から２，０００，０００ｇ／ｍｏｌの範囲の重量平均分子量Ｍｗを有することができ、モノマーは好ましくは、酢酸ビニル３５から５０重量％、特に３８から４８重量％、好ましくは４０から４５重量％；一般式（Ｉ）の（メタ）アクリル酸モノマー２５から５５％重量％、特に３０から５０重量％、好ましくは３５から４５重量％、特に好ましくは３５から４０重量％；エチレン５から２５重量％、特に１０から２５重量％、好ましくは１５から２３重量％の量で存在することができ；コポリマーはアクリル酸を含まない。
【００３６】
好ましくは、上記段落において、（メタ）アクリル酸モノマーはアクリル酸エチルヘキシルである。
【００３７】
重量平均分子量Ｍｗは、溶媒としてのトリクロロベンゼンおよび標準としてのポリスチレンでのゲル浸透クロマトグラフィー（ＧＰＣ）によって求めることができる。
【００３８】
好ましい実施形態において、重量平均分子量Ｍｗは、溶離液としてのジクロロメタンおよび標準としてのポリスチレンを用いるゲル浸透クロマトグラフィー（ＧＰＣ）によって求める。
【００３９】
分散液から出発して、ＧＰＣ用のサンプルは好ましくは、硫酸ナトリウムによる分散液の脱水（例えば、分散液１ｇ／硫酸ナトリウム２０ｇ）、得られた混合物の粉砕および混合物のクロロホルムによる６時間のソックスレー抽出によって調製される。抽出物を硫酸ナトリウムで脱水し、濾過し、好ましくは減圧下に溶媒を除去する。残留物をＧＰＣに用いる。
【００４０】
好ましくは、本発明のコポリマーは、１４０，０００±２０，０００ｇ／ｍｏｌに主質量ピークのピークを有するコポリマーである（ＧＰＣジクロロメタン、ポリスチレン標準、流量１．０ｍＬ／分、注入体積１００μＬ（ミクロリットル）、Ｔ＝３０℃）。
【００４１】
さらに好ましくは、前記主質量ピークは、ポリマー質量の７０％超（Ｆ［％］）、より好ましくは７５％超、最も好ましくは８０％超を含む。
【００４２】
やはり好ましくは、コポリマーは５０から１５０、好ましくは８０から１２０の範囲の多分散性（Ｄ＝Ｍｗ／Ｍｎ）を有する。
【００４３】
最も好ましい実施形態において、本発明のコポリマーは、２００，０００から２８０，０００ｇ／ｍｏｌの範囲の重量平均分子量Ｍｗを有することができ、酢酸ビニルは３８から４８重量％で存在し、一般式（Ｉ）の（メタ）アクリル酸モノマーは３５から４０重量％で存在し；エチレンは１５から２３重量％で存在し；コポリマーはアクリル酸を含まず、コポリマーは１４０，０００±２０，０００ｇ／ｍｏｌに主質量ピークのピークを有する（ＧＰＣジクロロメタン、ポリスチレン標準、流量１，０ｍＬ／分、注入体積１００μＬ（ミクロリットル）、Ｔ＝３０℃）。
【００４４】
さらに、最も好ましい実施形態において、主質量ピークは、ポリマーの質量の８０％超（Ｆ［％］）を含み、コポリマーは８０から１２０の範囲の多分散性（Ｄ＝Ｍｗ／Ｍｎ）を有する。
【００４５】
別の好ましい実施形態において、本発明のコポリマーは、１２５，０００から２５０，０００ｇ／ｍｏｌの範囲の重量平均分子量Ｍｗを有することができ、酢酸ビニルは３８から４８重量％で存在し、一般式（Ｉ）の（メタ）アクリル酸モノマーは３５から４０重量％で存在し；エチレンは１５から２３重量％で存在し；コポリマーはアクリル酸を含まず、コポリマーは１４０，０００±２０，０００ｇ／ｍｏｌに主質量ピークのピークを有する（ＧＰＣジクロロメタン、ポリスチレン標準、流量１．０ｍＬ／分、注入体積１００μＬ（ミクロリットル）、Ｔ＝３０℃）。
【００４６】
さらに、最も好ましい実施形態において、主質量ピークは、ポリマーの質量の８０％超（Ｆ［％］）を含み。コポリマーは８０から１２０の範囲の多分散性（Ｄ＝Ｍｗ／Ｍｎ）を有する。
【００４７】
分散液は、例えば、３０分、１３０℃でＤＩＮ  ＥＮ  ＩＳＯ３２５１に従って測定した３０から８０重量％、特には５０から７０重量％、好ましくは５５から６５重量％の固体含有量を有することができる。そのような固体含有量を有する分散液を用いる場合、農薬を含む全コーティング製剤に対する分散液の用量が１から２０重量％であることが好ましく、より好ましくは２から１５重量％、最も好ましくは３から１２重量％である。
【００４８】
分散液のｐＨ値は、水との１：１混合物でのＤＩＮ  ＩＳＯ９７６に従って測定して４から７、特には４．５から６．５の範囲であることができる。その分散液は０．１から５μｍ、特には０．２から２．０μｍの平均粒径を示すことができる。平均粒径ｄ５０は、上下で５０重量％が認められる粒径である。それは、超遠心機を用いることで測定可能である（Ｗ．  Ｓｃｈｏｌｔａｎ，  Ｈ．  Ｌａｎｇｅ，  Ｋｏｌｌｏｉｄ，  Ｚ．  ｕｎｄ  Ｚ．  Ｐｏｌｙｍｅｒｅ  ２５０（１９７２），  ７８２−７９６）。
【００４９】
フィルム形成特性を改善するためには、分散液はＤＩＮ  ＩＳＯ２１１５に従って測定した最低フィルム形成温度０℃を有することが有利である。
【００５０】
本発明のさらなる好ましい実施形態によれば、分散液は可塑剤および／またはノニオン系洗浄剤をほとんど含まず、特にはアルキルフェノールエトキシレートをほとんど含まない。本発明のコポリマーは、環境問題を引き起こし得る前記添加剤を加える必要なく水系分散液として提供可能であることから、これは有利である。これは特に、ノニオン系洗浄剤、特別にはアルキルフェノールエトキシレートに当てはまる。
【００５１】
本発明に関して、コーティング剤を提供するのに、あらゆる農薬を用いることができる。そこで、その農薬は、殺虫剤、殺菌剤、殺細菌剤、殺ウィルス剤、殺ダニ剤、軟体動物駆除剤、殺線虫剤、殺卵剤、忌避剤、殺鼠剤、除草剤、薬害軽減剤、肥料、生物剤、またはこれらの混合物を含む群から選択することができる。
【００５２】
農薬、または以下において「有効成分」（「ａ．ｉ．」）とも称されるものは、本明細書において、公知であって、例えば農薬マニュアル（″Ｔｈｅ  Ｐｅｓｔｉｃｉｄｅ  Ｍａｎｕａｌ″，  １４ｔｈ  Ｅｄ．，  Ｂｒｉｔｉｓｈ  Ｃｒｏｐ  Ｐｒｏｔｅｃｔｉｏｎ  Ｃｏｕｎｃｉｌ  ２００６）に記載の「一般名」で特定されているか、インターネット（例えば、ｈｔｔｐ：／／ｗｗｗ．ａｌａｎｗｏｏｄ．ｎｅｔ／ｐｅｓｔｉｃｉｄｅｓ）で検索することができる。
【００５３】
化合物（Ａ）または化合物（Ｂ）が互変異型で存在し得る場合、そのような化合物は、上記および下記で、適用可能な場合、各場合で具体的に言及されていない場合であっても、相当する互変異型も含むものと理解される。
【００５４】
１）エルゴステロール生合成の阻害剤、例えば、（１．１）アルジモルフ、（１．２）アザコナゾール、（１．３）ビテルタノール、（１．４）ブロムコナゾール、（１．５）シプロコナゾール、（１．６）ジクロブトラゾール、（１．７）ジフェノコナゾール、（１．８）ジニコナゾール、（１．９）ジニコナゾール−Ｍ、（１．１０）ドデモルフ、（１．１１）酢酸ドデモルフ、（１．１２）エポキシコナゾール、（１．１３）エタコナゾール、（１．１４）フェナリモール、（１．１５）フェンブコナゾール、（１．１６）フェンヘキサミド、（１．１７）フェンプロピジン、（１．１８）フェンプロピモルフ、（１．１９）フルキンコナゾール、（１．２０）フルルプリミドール、（１．２１）フルシラゾール、（１．２２）フルトリアホール、（１．２３）フルコナゾール、（１．２４）フルコナゾール−シス、（１．２５）ヘキサコナゾール、（１．２６）イマザリル、（１．２７）硫酸イマザリル、（１．２８）イミベンコナゾール、（１．２９）イプコナゾール、（１．３０）メトコナゾール、（１．３１）ミクロブタニル、（１．３２）ナフチフィン、（１．３３）ヌアリモール、（１．３４）オキシポコナゾール、（１．３５）パクロブトラゾール、（１．３６）ペフラゾエート、（１．３７）ペンコナゾール、（１．３８）ピペラリン、（１．３９）プロクロラズ、（１．４０）プロピコナゾール、（１．４１）プロチオコナゾール、（１．４２）ピリブチカルブ、（１．４３）ピリフェノックス、（１．４４）キンコナゾール、（１．４５）シメコナゾール、（１．４６）スピロキサミン、（１．４７）テブコナゾール、（１．４８）テルビナフィン、（１．４９）テトラコナゾール、（１．５０）トリアジメホン、（１．５１）トリアジメノール、（１．５２）トリデモルフ、（１．５３）トリフルミゾール、（１．５４）トリホリン、（１．５５）トリチコナゾール、（１．５６）ウニコナゾール、（１．５７）ウニコナゾール−ｐ、（１．５８）ビニコナゾール、（１．５９）ボリコナゾール、（１．６０）１−（４−クロロフェニル）−２−（１Ｈ−１，２，４−トリアゾール−１−イル）シクロヘプタノール、（１．６１）１−（２，２−ジメチル−２，３−ジヒドロ−１Ｈ−インデン−１−イル）−１Ｈ−イミダゾール−５−カルボン酸メチル、（１．６２）Ｎ′−｛５−（ジフルオロメチル）−２−メチル−４−［３−（トリメチルシリル）プロポキシ］フェニル｝−Ｎ−エチル−Ｎ−メチルイミドホルムアミド、（１．６３）Ｎ−エチル−Ｎ−メチル−Ｎ’−｛２−メチル−５−（トリフルオロメチル）−４−［３−（トリメチルシリル）プロポキシ］フェニル｝イミドホルムアミド、（１．６４）Ｏ−［１−（４−メトキシフェノキシ）−３，３−ジメチルブタン−２−イル］−１Ｈ−イミダゾール−１−カルボチオエート、（１．６５）ピリソキサゾール（Ｐｙｒｉｓｏｘａｚｏｌｅ）。
【００５５】
２）複合体ＩまたはＩＩでの呼吸鎖の阻害剤、例えば、（２．１）ビキサフェン、（２．２）ボスカリド、（２．３）カルボキシン、（２．４）ジフルメトリム、（２．５）フェンフラム、（２．６）フルオピラム、（２．７）フルトラニル、（２．８）フルキサピロキサド（ｆｌｕｘａｐｙｒｏｘａｄ）、（２．９）フラメトピル、（２．１０）フルメシクロックス、（２．１１）イソピラザム（シン−エピマー性ラセミ化合物（１ＲＳ，４ＳＲ，９ＲＳ）とアンチ−エピマー性ラセミ化合物（１ＲＳ，４ＳＲ，９ＳＲ）の混合物）、（２．１２）イソピラザム（アンチ−エピマー性ラセミ化合物１ＲＳ，４ＳＲ，９ＳＲ）、（２．１３）イソピラザム（アンチ−エピマー性エナンチオマー１Ｒ，４Ｓ，９Ｓ）、（２．１４）イソピラザム（アンチ−エピマー性エナンチオマー１Ｓ，４Ｒ，９Ｒ）、（２．１５）イソピラザム（シン−エピマー性ラセミ化合物１ＲＳ，４ＳＲ，９ＲＳ）、（２．１６）イソピラザム（シン−エピマー性エナンチオマー１Ｒ，４Ｓ，９Ｒ）、（２．１７）イソピラザム（シン−エピマー性エナンチオマー１Ｓ，４Ｒ，９Ｓ）、（２．１８）メプロニル、（２．１９）オキシカルボキシン、（２．２０）ペンフルフェン、（２．２１）ペンチオピラド、（２．２２）セダキサン、（２．２３）チフルザミド、（２．２４）１−メチル−Ｎ−［２−（１，１，２，２−テトラフルオロエトキシ）フェニル］−３−（トリフルオロメチル）−１Ｈ−ピラゾール−４−カルボキサミド、（２．２５）３−（ジフルオロメチル）−１−メチル−Ｎ−［２−（１，１，２，２−テトラフルオロエトキシ）フェニル］−１Ｈ−ピラゾール−４−カルボキサミド、（２．２６）３−（ジフルオロメチル）−Ｎ−［４−フルオロ−２−（１，１，２，３，３，３−ヘキサフルオロプロポキシ）フェニル］−１−メチル−１Ｈ−ピラゾール−４−カルボキサミド、（２．２７）Ｎ−［１−（２，４−ジクロロフェニル）−１−メトキシプロパン−２−イル］−３−（ジフルオロメチル）−１−メチル−１Ｈ−ピラゾール−４−カルボキサミド、（２．２８）５，８−ジフルオロ−Ｎ−［２−（２−フルオロ−４−｛［４−（トリフルオロメチル）ピリジン−２−イル］オキシ｝フェニル）エチル］キナゾリン−４−アミン、（２．２９）ベンゾビンジフルピル、（２．３０）Ｎ−［（１Ｓ，４Ｒ）−９−（ジクロロメチレン）−１，２，３，４−テトラヒドロ−１，４−メタノナフタレン−５−イル］−３−（ジフルオロメチル）−１−メチル−１Ｈ−ピラゾール−４−カルボキサミド、（２．３１）Ｎ−［（１Ｒ，４Ｓ）−９−（ジクロロメチレン）−１，２，３，４−テトラヒドロ−１，４−メタノナフタレン−５−イル］−３−（ジフルオロメチル）−１−メチル−１Ｈ−ピラゾール−４−カルボキサミド、（２．３２）３−（ジフルオロメチル）−１−メチル−Ｎ−（１，１，３−トリメチル−２，３−ジヒドロ−１Ｈ−インデン−４−イル）−１Ｈ−ピラゾール−４−カルボキサミド、（２．３３）１，３，５−トリメチル−Ｎ−（１，１，３−トリメチル−２，３−ジヒドロ−１Ｈ−インデン−４−イル）−１Ｈ−ピラゾール−４−カルボキサミド、（２．３４）１−メチル−３−（トリフルオロメチル）−Ｎ−（１，１，３−トリメチル−２，３−ジヒドロ−１Ｈ−インデン−４−イル）−１Ｈ−ピラゾール−４−カルボキサミド、（２．３５）１−メチル−３−（トリフルオロメチル）−Ｎ−［（１Ｓ）−１，１，３−トリメチル−２，３−ジヒドロ−１Ｈ−インデン−４−イル］−１Ｈ−ピラゾール−４−カルボキサミド、（２．３６）１−メチル−３−（トリフルオロメチル）−Ｎ−［（１Ｒ）−１，１，３−トリメチル−２，３−ジヒドロ−１Ｈ−インデン−４−イル］−１Ｈ−ピラゾール−４−カルボキサミド、（２．３７）３−（ジフルオロメチル）−１−メチル−Ｎ−［（３Ｓ）−１，１，３−トリメチル−２，３−ジヒドロ−１Ｈ−インデン−４−イル］−１Ｈ−ピラゾール−４−カルボキサミド、（２．３８）３−（ジフルオロメチル）−１−メチル−Ｎ−［（３Ｒ）−１，１，３−トリメチル−２，３−ジヒドロ−１Ｈ−インデン−４−イル］−１Ｈ−ピラゾール−４−カルボキサミド、（２．３９）１，３，５−トリメチル−Ｎ−［（３Ｒ）−１，１，３−トリメチル−２，３−ジヒドロ−１Ｈ−インデン−４−イル］−１Ｈ−ピラゾール−４−カルボキサミド、（２．４０）１，３，５−トリメチル−Ｎ−［（３Ｓ）−１，１，３−トリメチル−２，３−ジヒドロ−１Ｈ−インデン−４−イル］−１Ｈ−ピラゾール−４−カルボキサミド、（２．４１）ベノダニル、（２．４２）２−クロロ−Ｎ−（１，１，３−トリメチル−２，３−ジヒドロ−１Ｈ−インデン−４−イル）ピリジン−３−カルボキサミド、（２．４３）イソフェタミド。
【００５６】
３）複合体ＩＩＩでの呼吸鎖の阻害薬剤、例えば、（３．１）アメトクトラジン、（３．２）アミスルブロム、（３．３）アゾキシストロビン、（３．４）シアゾファミド、（３．５）クメトキシストロビン（ｃｏｕｍｅｔｈｏｘｙｓｔｒｏｂｉｎ）、（３．６）クモストロビン（ｃｏｕｍｏｘｙｓｔｒｏｂｉｎ）、（３．７）ジモキシストロビン、（３．８）エノキサストロビン（ｅｎｏｘａｓｔｒｏｂｕｒｉｎ）、（３．９）ファモキサドン、（３．１０）フェンアミドン、（３．１１）フルフェノキシストロビン（ｆｌｕｆｅｎｏｘｙｓｔｒｏｂｉｎ）、（３．１２）フルオキサストロビン、（３．１３）クレソキシム−メチル、（３．１４）メトミノストロビン、（３．１５）オリサストロビン、（３．１６）ピコキシストロビン、（３．１７）ピラクロストロビン、（３．１８）ピラメトストリビン（ｐｙｒａｍｅｔｏｓｔｒｏｂｉｎ）、（３．１９）ピラオキシストロビン（ｐｙｒａｏｘｙｓｔｒｏｂｉｎ）、（３．２０）ピリベンカルブ、（３．２１）トリクロピリカルブ（ｔｒｉｃｌｏｐｙｒｉｃａｒｂ）、（３．２２）トリフロキシストロビン、（３．２３）（２Ｅ）−２−（２−｛［６−（３−クロロ−２−メチルフェノキシ）−５−フルオロピリミジン−４−イル］オキシ｝フェニル）−２−（メトキシイミノ）−Ｎ−メチルアセトアミド、（３．２４）（２Ｅ）−２−（メトキシイミノ）−Ｎ−メチル−２−（２−｛［（｛（１Ｅ）−１−［３−（トリフルオロメチル）フェニル］エチリデン｝アミノ）オキシ］メチル｝フェニル）アセトアミド、（３．２５）（２Ｅ）−２−（メトキシイミノ）−Ｎ−メチル−２−｛２−［（Ｅ）−（｛１−［３−（トリフルオロメチル）フェニル］エトキシ｝イミノ）メチル］フェニル｝アセトアミド、（３．２６）（２Ｅ）−２−｛２−［（｛［（１Ｅ）−１−（３−｛［（Ｅ）−１−フルオロ−２−フェニルビニル］オキシ｝フェニル）エチリデン］アミノ｝オキシ）メチル］フェニル｝−２−（メトキシイミノ）−Ｎ−メチルアセトアミド、（３．２７）フェナミノストロビン（Ｆｅｎアミノｓｔｒｏｂｉｎ）、（３．２８）５−メトキシ−２−メチル−４−（２−｛［（｛（１Ｅ）−１−［３−（トリフルオロメチル）フェニル］エチリデン｝アミノ）オキシ］メチル｝フェニル）−２，４−ジヒドロ−３Ｈ−１，２，４−トリアゾール−３−オン、（３．２９）（２Ｅ）−２−｛２−［（｛シクロプロピル［（４−メトキシフェニル）イミノ］メチル｝スルファニル）メチル］フェニル｝−３−メトキシアクリル酸メチル、（３．３０）Ｎ−（３−エチル−３，５，５−トリメチルシクロヘキシル）−３−ホルムアミド−２−ヒドロキシベンズアミド、（３．３１）２−｛２−［（２，５−ジメチルフェノキシ）メチル］フェニル｝−２−メトキシ−Ｎ−メチルアセトアミド、（３．３２）（２Ｒ）−２−｛２−［（２，５−ジメチルフェノキシオキシ）メチル］フェニル｝−２−メトキシ−Ｎ−メチルアセトアミド。
【００５７】
４）有糸分裂および細胞分裂の阻害剤、例えば、（４．１）ベノミル、（４．２）カルベンダジム、（４．３）クロルフェナゾール、（４．４）ジエトフェンカルブ、（４．５）エタボキサム、（４．６）フルオピコリド、（４．７）フベリダゾール、（４．８）ペンシクロン、（４．９）チアベンダゾール、（４．１０）チオファネート−メチル、（４．１１）チオファネート、（４．１２）ゾキサミド、（４．１３）５−クロロ−７−（４−メチルピペリジン−１−イル）−６−（２，４，６−トリフルオロフェニル）［１，２，４］トリアゾロ［１，５−ａ］ピリミジン、（４．１４）３−クロロ−５−（６−クロロピリジン−３−イル）−６−メチル−４−（２，４，６−トリフルオロフェニル）ピリダジン。
【００５８】
５）多部位作用を有することができる化合物、例えば、（５．１）ボルドー液、（５．２）カプタホール、（５．３）キャプタン、（５．４）クロロタロニル、（５．５）水酸化銅、（５．６）ナフテン酸銅、（５．７）酸化銅、（５．８）塩基性塩化銅、（５．９）硫酸銅（２＋）、（５．１０）ジクロフルアニド、（５．１１）ジチアノン、（５．１２）ドジン、（５．１３）ドジン遊離塩基、（５．１４）ファーバム、（５．１５）フルオロホルペット、（５．１６）ホルペット、（５．１７）グアザチン、（５．１８）酢酸グアザチン、（５．１９）イミノクタジン、（５．２０）イミノクタジンアルベシル酸塩、（５．２１）イミノクタジン三酢酸塩、（５．２２）マンカッパー、（５．２３）マンコゼブ、（５．２４）マンネブ、（５．２５）メチラム、（５．２６）メチラム亜鉛、（５．２７）オキシン銅、（５．２８）プロパミジン（ｐｒｏｐａｍｉｄｉｎｅ）、（５．２９）プロピネブ、（５．３０）硫黄および多硫化カルシウムなどの硫黄剤、（５．３１）チウラム、（５．３２）トリルフルアニド、（５．３３）ジネブ、（５．３４）ジラム、（５．３５）アニラジン。
【００５９】
６）宿主防御を誘発することができる化合物、例えば、（６．１）アシベンゾラル−Ｓ−メチル、（６．２）イソチアニル、（６．３）プロベナゾール、（６．４）チアジニル、（６．５）ラミナリン。
【００６０】
７）アミノ酸および／またはタンパク質生合成の阻害剤、例えば、（７．１）アンドプリム（ａｎｄｏｐｒｉｍ）、（７．２）ブラストサイジン−Ｓ、（７．３）シプロジニル、（７．４）カスガマイシン、（７．５）カスガマイシン塩酸塩水和物、（７．６）メパニピリム、（７．７）ピリメタニル、（７．８）３−（５−フルオロ−３，３，４，４−テトラメチル−３，４−ジヒドロイソキノリン−１−イル）キノリン、（７．９）オキシテトラサイクリン、（７．１０）ストレプトマイシン。
【００６１】
８）ＡＴＰ産生の阻害剤、例えば、（８．１）酢酸トリフェニルスズ、（８．２）塩化トリフェニルスズ、（８．３）水酸化トリフェニルスズ、（８．４）シルチオファム。
【００６２】
９）細胞壁合成の阻害剤、例えば、（９．１）ベンチアバリカルブ、（９．２）ジメトモルフ、（９．３）フルモルフ、（９．４）イプロバリカルブ、（９．５）マンジプロパミド、（９．６）ポリオキシン、（９．７）ポリオキソリム、（９．８）バリダマイシンＡ、（９．９）バリフェナレート、（９．１０）ポリオキシンＢ。
【００６３】
１０）脂質および膜合成の阻害剤、例えば、（１０．１）ビフェニル、（１０．２）クロロネブ、（１０．３）ジクロラン、（１０．４）エジフェンホス、（１０．５）エトリジアゾール、（１０．６）ヨードカルブ（ｉｏｄｏｃａｒｂ）、（１０．７）イプロベンホス、（１０．８）イソプロチオラン、（１０．９）プロパモカルブ、（１０．１０）プロパモカルブ塩酸塩、（１０．１１）プロチオカルブ、（１０．１２）ピラゾホス、（１０．１３）キントゼン、（１０．１４）テクナゼン、（１０．１５）トルクロホス−メチル。
【００６４】
１１）メラニン生合成の阻害剤、例えば、（１１．１）カルプロパミド、（１１．２）ジクロシメット、（１１．３）フェノキサニル、（１１．４）フタリド、（１１．５）ピロキロン、（１１．６）トリシクラゾール、（１１．７）２，２，２−トリフルオロエチル｛３−メチル−１−［（４−メチルベンゾイル）アミノ］ブタン−２−イル｝カーバメート。
【００６５】
１２）核酸合成の阻害剤、例えば、（１２．１）ベナラキシル、（１２．２）ベナラキシル−Ｍ（キララキシル）、（１２．３）ブピリメート、（１２．４）クロジラコン、（１２．５）ジメチリモール、（１２．６）エチリモール、（１２．７）フララキシル、（１２．８）ヒメキサゾール、（１２．９）メタラキシル、（１２．１０）メタラキシル−Ｍ（メフェノキサム）、（１２．１１）オフラセ、（１２．１２）オキサジキシル、（１２．１３）オキソリン酸、（１２．１４）オクチリノン。
【００６６】
１３）シグナル伝達の阻害剤、例えば、（１３．１）クロゾリネート、（１３．２）フェンピクロニル、（１３．３）フルジオキソニル、（１３．４）イプロジオン、（１３．５）プロシミドン、（１３．６）キノキシフェン、（１３．７）ビンクロゾリン、（１３．８）プロキナジド。
【００６７】
１４）脱共役剤として作用することができる化合物、例えば、（１４．１）ビナパクリル、（１４．２）ジノカップ、（１４．３）フェリムゾン、（１４．４）フルアジナム、（１４．５）メプチルジノカップ。
【００６８】
１５）さらに別の化合物、例えば、（１５．１）ベンチアゾール、（１５．２）ベトキサジン、（１５．３）カプシマイシン（ｃａｐｓｉｍｙｃｉｎ）、（１５．４）カルボン、（１５．５）キノメチオネート、（１５．６）ピリオフェノン（ｐｙｒｉｏｆｅｎｏｎｅ）（クラザフェノン（ｃｈｌａｚａｆｅｎｏｎｅ））、（１５．７）クフラネブ、（１５．８）シフルフェナミド、（１５．９）シモキサニル、（１５．１０）シプロスルファミド、（１５．１１）ダゾメット、（１５．１２）デバカルブ、（１５．１３）ジクロロフェン、（１５．１４）ジクロメジン、（１５．１５）ジフェンゾコート、（１５．１６）ジフェンゾコートメチル硫酸塩、（１５．１７）ジフェニルアミン、（１５．１８）エコメイト、（１５．１９）フェンピラザミン（ｆｅｎｐｙｒａｚアミン）、（１５．２０）フルメトベル、（１５．２１）フルオルイミド、（１５．２２）フルスルファミド、（１５．２３）フルチアニル、（１５．２４）ホセチル−アルミニウム、（１５．２５）ホセチル−カルシウム、（１５．２６）ホセチル−ナトリウム、（１５．２７）ヘキサクロロベンゼン、（１５．２８）イルママイシン、（１５．２９）メタスルホカルブ、（１５．３０）イソチオシアン酸メチル、（１５．３１）メトラフェノン、（１５．３２）ミルディオマイシン、（１５．３３）ナタマイシン、（１５．３４）ジメチルジチオカルバミン酸ニッケル、（１５．３５）ニトロタル−イソプロピル、（１５．３７）オキサモカルブ（ｏｘａｍｏｃａｒｂ）、（１５．３８）オキシフェンチイン（ｏｘｙｆｅｎｔｈｉｉｎ）、（１５．３９）ペンタクロロフェノールおよび塩、（１５．４０）フェノトリン、（１５．４１）亜リン酸およびそれの塩、（１５．４２）プロパモカルブ−ホセチレート（ｐｒｏｐａｍｏｃａｒｂ−ｆｏｓｅｔｙｌａｔｅ）、（１５．４３）プロパノシン−ナトリウム（ｐｒｏｐａｎｏｓｉｎｅ−ｓｏｄｉｕｍ）、（１５．４４）ピリモルフ、（１５．４５）（２Ｅ）−３−（４−ｔｅｒｔ−ブチルフェニル）−３−（２−クロロピリジン−４−イル）−１−（モルホリン−４−イル）プロプ−２−エン−１−オン、（１５．４６）（２Ｚ）−３−（４−ｔｅｒｔ−ブチルフェニル）−３−（２−クロロピリジン−４−イル）−１−（モルホリン−４−イル）プロプ−２−エン−１−オン、（１５．４７）ピロールニトリン、（１５．４８）テブフロキン、（１５．４９）テクロフタラム、（１５．５０）トルニファニド、（１５．５１）トリアゾキシド、（１５．５２）トリクラミド、（１５．５３）ザリラミド、（１５．５４）２−メチルプロパン酸（３Ｓ，６Ｓ，７Ｒ，８Ｒ）−８−ベンジル−３−［（｛３−［（イソブチリルオキシ）メトキシ］−４−メトキシピリジン−２−イル｝カルボニル）アミノ］−６−メチル−４，９−ジオキソ−１，５−ジオキソナン−７−イル、（１５．５５）１−（４−｛４−［（５Ｒ）−５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン、（１５．５６）１−（４−｛４−［（５Ｓ）−５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン、（１５．５７）１−（４−｛４−［５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン、（１５．５８）１−（４−メトキシフェノキシ）−３，３−ジメチルブタン−２−イル−１Ｈ−イミダゾール−１−カルボキシレート、（１５．５９）２，３，５，６−テトラクロロ−４−（メチルスルホニル）ピリジン、（１５．６０）２，３−ジブチル−６−クロロチエノ［２，３−ｄ］ピリミジン−４（３Ｈ）−オン、（１５．６１）２，６−ジメチル−１Ｈ，５Ｈ−［１，４］ジチイノ［２，３−ｃ：５，６−ｃ′］ジピロール−１，３，５，７（２Ｈ，６Ｈ）−テトロン、（１５．６２）２−［５−メチル−３−（トリフルオロメチル）−１Ｈ−ピラゾール−１−イル］−１−（４−｛４−［（５Ｒ）−５−フェニル−４，５−ジヒドロ−１，２−オキサゾール−３−イル］−１，３−チアゾール−２−イル｝ピペリジン−１−イル）エタノン、（１５．６３）２−［５−メチル−３−（トリフルオロメチル）−１Ｈ−ピラゾール−１−イル］−１−（４−｛４−［（５Ｓ）−５−フェニル−４，５−ジヒドロ−１，２−オキサゾール−３−イル］−１，３−チアゾール−２−イル｝ピペリジン−１−イル）エタノン、（１５．６４）２−［５−メチル−３−（トリフルオロメチル）−１Ｈ−ピラゾール−１−イル］−１−｛４−［４−（５−フェニル−４，５−ジヒドロ−１，２−オキサゾール−３−イル）−１，３−チアゾール−２−イル］ピペリジン−１−イル｝エタノン、（１５．６５）２−ブトキシ−６−ヨード−３−プロピル−４Ｈ−クロメン−４−オン、（１５．６６）２−クロロ−５−［２−クロロ−１−（２，６−ジフルオロ−４−メトキシフェニル）−４−メチル−１Ｈ−イミダゾール−５−イル］ピリジン、（１５．６７）２−フェニルフェノールおよび塩、（１５．６８）３−（４，４，５−トリフルオロ−３，３−ジメチル−３，４−ジヒドロイソキノリン−１−イル）キノリン、（１５．６９）３，４，５−トリクロロピリジン−２，６−ジカルボニトリル、（１５．７０）３−クロロ−５−（４−クロロフェニル）−４−（２，６−ジフルオロフェニル）−６−メチルピリダジン、（１５．７１）４−（４−クロロフェニル）−５−（２，６−ジフルオロフェニル）−３，６−ジメチルピリダジン、（１５．７２）５−アミノ−１，３，４−チアジアゾール−２−チオール、（１５．７３）５−クロロ−Ｎ′−フェニル−Ｎ′−（プロパ−２−イン−１−イル）チオフェン−２−スルホノヒドラジド、（１５．７４）５−フルオロ−２−［（４−フルオロベンジル）オキシ］ピリミジン−４−アミン、（１５．７５）５−フルオロ−２−［（４−メチルベンジル）オキシ］ピリミジン−４−アミン、（１５．７６）５−メチル−６−オクチル［１，２，４］トリアゾロ［１，５−ａ］ピリミジン−７−アミン、（１５．７７）（２Ｚ）−３−アミノ−２−シアノ−３−フェニルアクリル酸エチル、（１５．７８）Ｎ′−（４−｛［３−（４−クロロベンジル）−１，２，４−チアジアゾール−５−イル］オキシ｝−２，５−ジメチルフェニル）−Ｎ−エチル−Ｎ−メチルイミドホルムアミド、（１５．７９）Ｎ−（４−クロロベンジル）−３−［３−メトキシ−４−（プロパ−２−イン−１−イルオキシ）フェニル］プロパンアミド、（１５．８０）Ｎ−［（４−クロロフェニル）（シアノ）メチル］−３−［３−メトキシ−４−（プロパ−２−イン−１−イルオキシ）フェニル］プロパンアミド、（１５．８１）Ｎ−［（５−ブロモ−３−クロロピリジン−２−イル）メチル］−２，４−ジクロロニコチンアミド、（１５．８２）Ｎ−［１−（５−ブロモ−３−クロロピリジン−２−イル）エチル］−２，４−ジクロロニコチンアミド、（１５．８３）Ｎ−［１−（５−ブロモ−３−クロロピリジン−２−イル）エチル］−２−フルオロ−４−ヨードニコチンアミド、（１５．８４）Ｎ−｛（Ｅ）−［（シクロプロピルメトキシ）イミノ］［６−（ジフルオロメトキシ）−２，３−ジフルオロフェニル］メチル｝−２−フェニルアセトアミド、（１５．８５）Ｎ−｛（Ｚ）−［（シクロプロピルメトキシ）イミノ］［６−（ジフルオロメトキシ）−２，３−ジフルオロフェニル］メチル｝−２−フェニルアセトアミド、（１５．８６）Ｎ′−｛４−［（３−ｔｅｒｔ−ブチル−４−シアノ−１，２−チアゾール−５−イル）オキシ］−２−クロロ−５−メチルフェニル｝−Ｎ−エチル−Ｎ−メチルイミドホルムアミド、（１５．８７）Ｎ−メチル−２−（１−｛［５−メチル−３−（トリフルオロメチル）−１Ｈ−ピラゾール−１−イル］アセチル｝ピペリジン−４−イル）−Ｎ−（１，２，３，４−テトラヒドロナフタレン−１−イル）−１，３−チアゾール−４−カルボキサミド、（１５．８８）Ｎ−メチル−２−（１−｛［５−メチル−３−（トリフルオロメチル）−１Ｈ−ピラゾール−１−イル］アセチル｝ピペリジン−４−イル）−Ｎ−［（１Ｒ）−１，２，３，４−テトラヒドロナフタレン−１−イル］−１，３−チアゾール−４−カルボキサミド、（１５．８９）Ｎ−メチル−２−（１−｛［５−メチル−３−（トリフルオロメチル）−１Ｈ−ピラゾール−１−イル］アセチル｝ピペリジン−４−イル）−Ｎ−［（１Ｓ）−１，２，３，４−テトラヒドロナフタレン−１−イル］−１，３−チアゾール−４−カルボキサミド、（１５．９０）ペンチル｛６−［（｛［（１−メチル−１Ｈ−テトラゾール−５−イル）（フェニル）メチレン］アミノ｝オキシ）メチル］ピリジン−２−イル｝カーバメート、（１５．９１）フェナジン−１−カルボン酸、（１５．９２）キノリン−８−オール、（１５．９３）キノリン−８−オールサルフェート（２：１）、（１５．９４）ｔｅｒｔ−ブチル｛６−［（｛［（１−メチル−１Ｈ−テトラゾール−５−イル）（フェニル）メチレン］アミノ｝オキシ）メチル］ピリジン−２−イル｝カーバメート、（１５．９５）１−メチル−３−（トリフルオロメチル）−Ｎ−［２′−（トリフルオロメチル）ビフェニル−２−イル］−１Ｈ−ピラゾール−４−カルボキサミド、（１５．９６）Ｎ−（４′−クロロビフェニル−２−イル）−３−（ジフルオロメチル）−１−メチル−１Ｈ−ピラゾール−４−カルボキサミド、（１５．９７）Ｎ−（２′，４′−ジクロロビフェニル−２−イル）−３−（ジフルオロメチル）−１−メチル−１Ｈ−ピラゾール−４−カルボキサミド、（１５．９８）３−（ジフルオロメチル）−１−メチル−Ｎ−［４′−（トリフルオロメチル）ビフェニル−２−イル］−１Ｈ−ピラゾール−４−カルボキサミド、（１５．９９）Ｎ−（２′，５′−ジフルオロビフェニル−２−イル）−１−メチル−３−（トリフルオロメチル）−１Ｈ−ピラゾール−４−カルボキサミド、（１５．１００）３−（ジフルオロメチル）−１−メチル−Ｎ−［４′−（プロプ−１−イン−１−イル）ビフェニル−２−イル］−１Ｈ−ピラゾール−４−カルボキサミド、（１５．１０１）５−フルオロ−１，３−ジメチル−Ｎ−［４′−（プロプ−１−イン−１−イル）ビフェニル−２−イル］−１Ｈ−ピラゾール−４−カルボキサミド、（１５．１０２）２−クロロ−Ｎ−［４′−（プロプ−１−イン−１−イル）ビフェニル−２−イル］ニコチンアミド、（１５．１０３）３−（ジフルオロメチル）−Ｎ−［４′−（３，３−ジメチルブト−１−イン−１−イル）ビフェニル−２−イル］−１−メチル−１Ｈ−ピラゾール−４−カルボキサミド、（１５．１０４）Ｎ−［４′−（３，３−ジメチルブト−１−イン−１−イル）ビフェニル−２−イル］−５−フルオロ−１，３−ジメチル−１Ｈ−ピラゾール−４−カルボキサミド、（１５．１０５）３−（ジフルオロメチル）−Ｎ−（４′−エチニルビフェニル−２−イル）−１−メチル−１Ｈ−ピラゾール−４−カルボキサミド、（１５．１０６）Ｎ−（４′−エチニルビフェニル−２−イル）−５−フルオロ−１，３−ジメチル−１Ｈ−ピラゾール−４−カルボキサミド、（１５．１０７）２−クロロ−Ｎ−（４′−エチニルビフェニル−２−イル）ニコチンアミド、（１５．１０８）２−クロロ−Ｎ−［４′−（３，３−ジメチルブト−１−イン−１−イル）ビフェニル−２−イル］ニコチンアミド、（１５．１０９）４−（ジフルオロメチル）−２−メチル−Ｎ−［４′−（トリフルオロメチル）ビフェニル−２−イル］−１，３−チアゾール−５−カルボキサミド、（１５．１１０）５−フルオロ−Ｎ−［４′−（３−ヒドロキ
シ−３−メチルブト−１−イン−１−イル）ビフェニル−２−イル］−１，３−ジメチル−１Ｈ−ピラゾール−４−カルボキサミド、（１５．１１１）２−クロロ−Ｎ−［４′−（３−ヒドロキシ−３−メチルブト−１−イン−１−イル）ビフェニル−２−イル］ニコチンアミド、（１５．１１２）３−（ジフルオロメチル）−Ｎ−［４′−（３−メトキシ−３−メチルブト−１−イン−１−イル）ビフェニル−２−イル］−１−メチル−１Ｈ−ピラゾール−４−カルボキサミド、（１５．１１３）５−フルオロ−Ｎ−［４′−（３−メトキシ−３−メチルブト−１−イン−１−イル）ビフェニル−２−イル］−１，３−ジメチル−１Ｈ−ピラゾール−４−カルボキサミド、（１５．１１４）２−クロロ−Ｎ−［４′−（３−メトキシ−３−メチルブト−１−イン−１−イル）ビフェニル−２−イル］ニコチンアミド、（１５．１１５）（５−ブロモ−２−メトキシ−４−メチルピリジン−３−イル）（２，３，４−トリメトキシ−６−メチルフェニル）メタノン、（１５．１１６）Ｎ−［２−（４−｛［３−（４−クロロフェニル）プロプ−２−イン−１−イル］オキシ｝−３−メトキシフェニル）エチル］−Ｎ２−（メチルスルホニル）バリンアミド、（１５．１１７）４−オキソ−４−［（２−フェニルエチル）アミノ］ブタン酸、（１５．１１８）ブト−３−イン−１−イル｛６−［（｛［（Ｚ）−（１−メチル−１Ｈ−テトラゾール−５−イル）（フェニル）メチレン］アミノ｝オキシ）メチル］ピリジン−２−イル｝カーバメート、（１５．１１９）４−アミノ−５−フルオロピリミジン−２−オール（互変異体型：４−アミノ−５−フルオロピリミジン−２（１Ｈ）−オン）、（１５．１２０）３，４，５−トリヒドロキシ安息香酸プロピル、（１５．１２１）１，３−ジメチル−Ｎ−（１，１，３−トリメチル−２，３−ジヒドロ−１Ｈ−インデン−４−イル）−１Ｈ−ピラゾール−４−カルボキサミド、（１５．１２２）１，３−ジメチル−Ｎ−［（３Ｒ）−１，１，３−トリメチル−２，３−ジヒドロ−１Ｈ−インデン−４−イル］−１Ｈ−ピラゾール−４−カルボキサミド、（１５．１２３）１，３−ジメチル−Ｎ−［（３Ｓ）−１，１，３−トリメチル−２，３−ジヒドロ−１Ｈ−インデン−４−イル］−１Ｈ−ピラゾール−４−カルボキサミド、（１５．１２４）［３−（４−クロロ−２−フルオロフェニル）−５−（２，４−ジフルオロフェニル）−１，２−オキサゾール−４−イル］（ピリジン−３−イル）メタノール、（１５．１２５）（Ｓ）−［３−（４−クロロ−２−フルオロフェニル）−５−（２，４−ジフルオロフェニル）−１，２−オキサゾール−４−イル］（ピリジン−３−イル）メタノール、（１５．１２６）（Ｒ）−［３−（４−クロロ−２−フルオロフェニル）−５−（２，４−ジフルオロフェニル）−１，２−オキサゾール−４−イル］（ピリジン−３−イル）メタノール、（１５．１２７）２−｛［３−（２−クロロフェニル）−２−（２，４−ジフルオロフェニル）オキシラン−２−イル］メチル｝−２，４−ジヒドロ−３Ｈ−１，２，４−トリアゾール−３−チオン、（１５．１２８）１−｛［３−（２−クロロフェニル）−２−（２，４−ジフルオロフェニル）オキシラン−２−イル］メチル｝−１Ｈ−１，２，４−トリアゾール−５−イルチオシアネート、（１５．１２９）５−（アリルスルファニル）−１−｛［３−（２−クロロフェニル）−２−（２，４−ジフルオロフェニル）オキシラン−２−イル］メチル｝−１Ｈ−１，２，４−トリアゾール、（１５．１３０）２−［１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１３１）２−｛［ｒｅｌ（２Ｒ，３Ｓ）−３−（２−クロロフェニル）−２−（２，４−ジフルオロフェニル）オキシラン−２−イル］メチル｝−２，４−ジヒドロ−３Ｈ−１，２，４−トリアゾール−３−チオン、（１５．１３２）２−｛［ｒｅｌ（２Ｒ，３Ｒ）−３−（２−クロロフェニル）−２−（２，４−ジフルオロフェニル）オキシラン−２−イル］メチル｝−２，４−ジヒドロ−３Ｈ−１，２，４−トリアゾール−３−チオン、（１５．１３３）１−｛［ｒｅｌ（２Ｒ，３Ｓ）−３−（２−クロロフェニル）−２−（２，４−ジフルオロフェニル）オキシラン−２−イル］メチル｝−１Ｈ−１，２，４−トリアゾール−５−イルチオシアネート、（１５．１３４）１−｛［ｒｅｌ（２Ｒ，３Ｒ）−３−（２−クロロフェニル）−２−（２，４−ジフルオロフェニル）オキシラン−２−イル］メチル｝−１Ｈ−１，２，４−トリアゾール−５−イルチオシアネート、（１５．１３５）５−（アリルスルファニル）−１−｛［ｒｅｌ（２Ｒ，３Ｓ）−３−（２−クロロフェニル）−２−（２，４−ジフルオロフェニル）オキシラン−２−イル］メチル｝−１Ｈ−１，２，４−トリアゾール、（１５．１３６）５−（アリルスルファニル）−１−｛［ｒｅｌ（２Ｒ，３Ｒ）−３−（２−クロロフェニル）−２−（２，４−ジフルオロフェニル）オキシラン−２−イル］メチル｝−１Ｈ−１，２，４−トリアゾール、（１５．１３７）２−［（２Ｓ，４Ｓ，５Ｓ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１３８）２−［（２Ｒ，４Ｓ，５Ｓ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１３９）２−［（２Ｒ，４Ｒ，５Ｒ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４０）２−［（２Ｓ，４Ｒ，５Ｒ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４１）２−［（２Ｓ，４Ｓ，５Ｒ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４２）２−［（２Ｒ，４Ｓ，５Ｒ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４３）２−［（２Ｒ，４Ｒ，５Ｓ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４４）２−［（２Ｓ，４Ｒ，５Ｓ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４５）２−フルオロ−６−（トリフルオロメチル）−Ｎ−（１，１，３−トリメチル−２，３−ジヒドロ−１Ｈ−インデン−４−イル）ベンズアミド、（１５．１４６）２−（６−ベンジルピリジン−２−イル）キナゾリン、（１５．１４７）２−［６−（３−フルオロ−４−メトキシフェニル）−５−メチルピリジン−２−イル］キナゾリン、（１５．１４８）３−（４，４−ジフルオロ−３，３−ジメチル−３，４−ジヒドロイソキノリン−１−イル）キノリン、（１５．１４９）アブシシン酸、（１５．１５０）３−（ジフルオロメチル）−Ｎ−メトキシ−１−メチル−Ｎ−［１−（２，４，６−トリクロロフェニル）プロパン−２−イル］−１Ｈ−ピラゾール−４−カルボキサミド、（１５．１５１）Ｎ′−［５−ブロモ−６−（２，３−ジヒドロ−１Ｈ−インデン−２−イルオキシ）−２−メチルピリジン−３−イル］−Ｎ−エチル−Ｎ−メチルイミドホルムアミド、（１５．１５２）Ｎ′−｛５−ブロモ−６−［１−（３，５−ジフルオロフェニル）エトキシ］−２−メチルピリジン−３−イル｝−Ｎ−エチル−Ｎ−メチルイミドホルムアミド、（１５．１５３）Ｎ′−｛５−ブロモ−６−［（１Ｒ）−１−（３，５−ジフルオロフェニル）エトキシ］−２−メチルピリジン−３−イル｝−Ｎ−エチル−Ｎ−メチルイミドホルムアミド、（１５．１５４）Ｎ′−｛５−ブロモ−６−［（１Ｓ）−１−（３，５−ジフルオロフェニル）エトキシ］−２−メチルピリジン−３−イル｝−Ｎ−エチル−Ｎ−メチルイミドホルムアミド、（１５．１５５）Ｎ′−｛５−ブロモ−６−［（シス−４−イソプロピルシクロヘキシル）オキシ］−２−メチルピリジン−３−イル｝−Ｎ−エチル−Ｎ−メチルイミドホルムアミド、（１５．１５６）Ｎ′−｛５−ブロモ−６−［（トランス−４−イソプロピルシクロヘキシル）オキシ］−２−メチルピリジン−３−イル｝−Ｎ−エチル−Ｎ−メチルイミドホルムアミド、（１５．１５７）Ｎ−シクロプロピル−３−（ジフルオロメチル）−５−フルオロ−Ｎ−（２−イソプロピルベンジル）−１−メチル−１Ｈ−ピラゾール−４−カルボキサミド、（１５．１５８）Ｎ−シクロプロピル−Ｎ−（２−シクロプロピルベンジル）−３−（ジフルオロメチル）−５−フルオロ−１−メチル−１Ｈ−ピラゾール−４−カルボキサミド、（１５．１５９）Ｎ−（２−ｔｅｒｔ−ブチルベンジル）−Ｎ−シクロプロピル−３−（ジフルオロメチル）−５−フルオロ−１−メチル−１Ｈ−ピラゾール−４−カルボキサミド、（１５．１６０）Ｎ−（５−クロロ−２−エチルベンジル）−Ｎ−シクロプロピル−３−（ジフルオロメチル）−５−フルオロ−１−メチル−１Ｈ−ピラゾール−４−カルボキサミド、（１５．１６１）Ｎ−（５−クロロ−２−イソプロピルベンジル）−Ｎ−シクロプロピル−３−（ジフルオロメチル）−５−フルオロ−１−メチル−１Ｈ−ピラゾール−４−カルボキサミド、（１５．１６２）Ｎ−シクロプロピル−３−（ジフルオロメチル）−Ｎ−（２−エチル−５−フルオロベンジル）−５−フルオロ−１−メチル−１Ｈ−ピラゾール−４−カルボキサミド、（１５．１６３）Ｎ−シクロプロピル−３−（ジフルオロメチル）−５−フルオロ−Ｎ−（５−フルオロ−２−イソプロピルベンジル）−１−メチル−１Ｈ−ピラゾール−４−カルボキサミド、（１５．１６４）Ｎ−シクロプロピル−Ｎ−（２−シクロプロピル−５−フルオロベンジル）−３−（ジフルオロメチル）−５−フルオロ−１−メチル−１Ｈ−ピラゾール−４−カルボキサミド、（１５．１６５）Ｎ−（２−シクロペンチル−５−フルオロベンジル）−Ｎ−シクロプロピル−３−（ジフルオロメチル）−５−フルオロ−１−メチル−１Ｈ−ピラゾール−４−カルボキサミド、（１５．１６６）Ｎ−シクロプロピル−３−（ジフルオロメチル）−５−フルオロ−Ｎ−（２−フルオロ−６−イソプロピルベンジル）−１−メチル−１Ｈ−ピラゾール−４−カルボキサミド、（１５．１６７）Ｎ−シクロプロピル−３−（ジフルオロメチル）−Ｎ−（２−エチル−５−メチルベンジル）−５−フルオロ−１−メチル−１Ｈ−ピラゾール−４−カルボキサミド、（１５．１６８）Ｎ−シクロプロピル−３−（ジフルオロメチル）−５−フルオロ−Ｎ−（２−イソプロピル−５−メチルベンジル）−１−メチル−１Ｈ−ピラゾール−４−カルボキサミド、（１５．１６９）Ｎ−シクロプロピル−Ｎ−（２−シクロプロピル−５−メチルベンジル）−３−（ジフルオロメチル）−５−フルオロ−１−メチル−１Ｈ−ピラゾール−４−カルボキサミド、（１５．１７０）Ｎ−（２−ｔｅｒｔ−ブチル−５−メチルベンジル）−Ｎ−シクロプロピル−３−（ジフルオロメチル）−５−フルオロ−１−メチル−１Ｈ−ピラゾール−４−カルボキサミド、（１５．１７１）Ｎ−［５−クロロ−２−（トリフルオロメチル）ベンジル］−Ｎ−シクロプロピル−３−（ジフルオロメチル）−５−フルオロ−１−メチル−１Ｈ−ピラゾール−４−カルボキサミド、（１５．１７２）Ｎ−シクロプロピル−３−（ジフルオロメチル）−５−フルオロ
−１−メチル−Ｎ−［５−メチル−２−（トリフルオロメチル）ベンジル］−１Ｈ−ピラゾール−４−カルボキサミド、（１５．１７３）Ｎ−［２−クロロ−６−（トリフルオロメチル）ベンジル］−Ｎ−シクロプロピル−３−（ジフルオロメチル）−５−フルオロ−１−メチル−１Ｈ−ピラゾール−４−カルボキサミド、（１５．１７４）Ｎ−［３−クロロ−２−フルオロ−６−（トリフルオロメチル）ベンジル］−Ｎ−シクロプロピル−３−（ジフルオロメチル）−５−フルオロ−１−メチル−１Ｈ−ピラゾール−４−カルボキサミド、（１５．１７５）Ｎ−シクロプロピル−３−（ジフルオロメチル）−Ｎ−（２−エチル−４，５−ジメチルベンジル）−５−フルオロ−１−メチル−１Ｈ−ピラゾール−４−カルボキサミド、（１５．１７６）Ｎ−シクロプロピル−３−（ジフルオロメチル）−５−フルオロ−Ｎ−（２−イソプロピルベンジル）−１−メチル−１Ｈ−ピラゾール−４−カルボチオアミド、（１５．１７７）３−（ジフルオロメチル）−Ｎ−（７−フルオロ−１，１，３−トリメチル−２，３−ジヒドロ−１Ｈ−インデン−４−イル）−１−メチル−１Ｈ−ピラゾール−４−カルボキサミド、（１５．１７８）３−（ジフルオロメチル）−Ｎ−［（３Ｒ）−７−フルオロ−１，１，３−トリメチル−２，３−ジヒドロ−１Ｈ−インデン−４−イル］−１−メチル−１Ｈ−ピラゾール−４−カルボキサミド、（１５．１７９）３−（ジフルオロメチル）−Ｎ−［（３Ｓ）−７−フルオロ−１，１，３−トリメチル−２，３−ジヒドロ−１Ｈ−インデン−４−イル］−１−メチル−１Ｈ−ピラゾール−４−カルボキサミド、（１５．１８０）Ｎ′−（２，５−ジメチル−４−フェノキシフェニル）−Ｎ−エチル−Ｎ−メチルイミドホルムアミド、（１５．１８１）Ｎ′−｛４−［（４，５−ジクロロ−１，３−チアゾール−２−イル）オキシ］−２，５−ジメチルフェニル｝−Ｎ−エチル−Ｎ−メチルイミドホルムアミド、（１５．１８２）Ｎ−（４−クロロ−２，６−ジフルオロフェニル）−４−（２−クロロ−４−フルオロフェニル）−１，３−ジメチル−１Ｈ−ピラゾール−５−アミン；。
【００６９】
分類（１）から（１５）の全ての挙げた混合相手は、官能基によってそれが可能となる場合、好適な塩基または酸と塩を、特にはナトリウム、カリウム、アンモニウムなどの生理的に許容される塩の形態で形成しても良い。
【００７０】
殺虫剤、殺ダニ剤および殺線虫剤に関して、下記の物質を用いることができる。
【００７１】
１）アセチルコリンエステラーゼ（ＡＣｈＥ）阻害薬、例えば
カーバメート類、例えばアラニカルブ、アルジカルブ、ベンジオカルブ、ベンフラカルブ、ブトカルボキシム、ブトキシカルボキシム、カルバリル、カルボフラン、カルボスルファン、エチオフェンカルブ、フェノブカルブ、ホルメタナート、フラチオカルブ、イソプロカルブ、メチオカルブ、メソミル、メトルカルブ、オキサミル、ピリミカーブ、プロポキスル、チオジカルブ、チオファノックス、トリアザメート、トリメタカルブ、ＸＭＣ、およびキシリルカルブ；または
有機リン酸化合物、例えばアセフェート、アザメチホス、アジンホスエチル、アジンホスメチル、カズサホス、クロルエトキシホス、クロルフェンビンホス、クロルメホス、クロルピリホス、クロルピリホス−メチル、クマホス、シアノホス、デメトン−Ｓ−メチル、ダイアジノン、ジクロルボス／ＤＤＶＰ、ジクロトホス、ジメトエート、ジメチルビンホス、ジスルホトン、ＥＰＮ、エチオン、エトプロホス、ファンファー、フェナミホス、フェニトロチオン、フェンチオン、ホスチアゼート、ヘプテノホス、イミシアホス、イソフェンホス、Ｏ−（メトキシアミノチオホスホルイル）サリチル酸イソプロピル、イソキサチオン、マラチオン、メカルバム、メタミドホス、メチダチオン、メビンホス、モノクロトホス、ナレド、オメトエート、オキシデメトンメチル、パラチオン、パラチオンメチル、フェントエート、ホラート、ホサロン、ホスメット、ホスファミドン、ホキシム、ピリミホス−メチル、プロフェノホス、プロペタンホス、プロチオホス、ピラクロホス、ピリダフェンチオン、キナルホス、スルホテップ、テブピリムホス、テメホス、テルブホス、テトラクロルビンホス、チオメトン、トリアゾホス、トリクロルホンおよびバミドチオン；
２）ＧＡＢＡ依存性塩素イオンチャンネル拮抗薬、例えば
シクロジエン有機塩素類、例えばクロルデンおよびエンドスルファン；または
フェニルピラゾール類（フィプロール類）、例えば（１６．１）エチプロールおよび（１６．２）フィプロニル；
３）ナトリウムチャネル調節剤／電位依存性ナトリウムチャンネル遮断薬、例えばピレスロイド類、例えばアクリナトリン、アレトリン、ｄ−シス−トランスアレトリン、ｄ−トランスアレトリン、ビフェントリン、ビオアレトリン、ビオアレトリンＳ−シクロペンテニル異性体、ビオレスメトリン、シクロプロトリン、シフルトリン、β−シフルトリン、シハロトリン、λ−シハロトリン、γ−シハロトリン、シペルメトリン、α−シペルメトリン、β−シペルメトリン、θ−シペルメトリン、ζ−シペルメトリン、シフェノトリン［（１Ｒ）−トランス異性体］、デルタメトリン、エンペントリン［（ＥＺ）−（１Ｒ）異性体）、エスフェンバレレート、エトフェンプロックス、フェンプロパトリン、フェンバレレート、フルシトリネート、フルメトリン、τ−フルバリネート、ハルフェンプロックス、イミプロトリン、カデトリン、ペルメトリン、フェノトリン［（１Ｒ）−トランス異性体］、プラレトリン、ピレトリン（除虫菊）、レスメトリン、シラフルオフェン、テフルトリン、テトラメトリン、テトラメトリン［（１Ｒ）異性体］、トラロメトリンおよびトランスフルトリン；またはＤＤＴ；またはメトキシクロル；
４）ニコチン性アセチルコリン受容体（ｎＡＣｈＲ）作動薬、例えば
ネオニコチノイド類、例えば（１７．１）アセタミプリド、（１７．２）クロチアニジン、（１７．３）ジノテフラン、（１７．４）イミダクロプリド、（１７．５）ニテンピラム、（１７．６）チアクロプリドおよび（１７．７）チアメトキサム；または（１７．８）ニコチン；または（１７．９）スルホクサフロール；
５）ニコチン性アセチルコリン受容体（ｎＡＣｈＲ）アロステリック活性化剤、例えば、スピノシン類、例えば（１８．１）スピネトラムおよび（１８．２）スピノサド；
６）塩素イオンチャンネル活性化剤、例えばアベルメクチン類／ミルベマイシン類、例えばアバメクチン、エマメクチンベンゾエート、レピメクチン、およびミルベメクチン；
７）幼若ホルモン模倣剤、例えば幼若ホルモン類似体、例えば、ハイドロプレン、キノプレン、およびメトプレン；またはフェノキシカルブ；またはピリプロキシフェン；
８）種々の非特異的（多部位）阻害薬、例えばハロゲン化アルキル、例えば臭化メチルおよび他のハロゲン化アルキル；またはクロロピクリン；またはフッ化スルフリル；またはホウ砂；または吐酒石；
９）選択的摂食阻害薬、例えばピメトロジン；またはフロニカミド；
１０）ダニ成長阻害薬、例えばクロフェンテジン、ヘキシチアゾクスおよびジフロビダジン；またはエトキサゾール；
１１）昆虫の消化管の細胞膜の微生物攪乱物質、例えば、バチルス・チューリンゲンシス亜種イスラエレンシス（Ｂａｃｉｌｌｕｓ  ｔｈｕｒｉｎｇｉｅｎｓｉｓ  ｓｕｂｓｐｅｃｉｅｓ  ｉｓｒａｅｌｅｎｓｉｓ）、バチルス・スファエリクス（Ｂａｃｉｌｌｕｓ  ｓｐｈａｅｒｉｃｕｓ）、バチルス・チューリンゲンシス亜種アイザワイ（Ｂａｃｉｌｌｕｓ  ｔｈｕｒｉｎｇｉｅｎｓｉｓ  ｓｕｂｓｐｅｃｉｅｓ  ａｉｚａｗａｉ）、バチルス・チューリンゲンシス亜種クルスタキ（Ｂａｃｉｌｌｕｓ  ｔｈｕｒｉｎｇｉｅｎｓｉｓ  ｓｕｂｓｐｅｃｉｅｓ  ｋｕｒｓｔａｋｉ）、バチルス・チューリンゲンシス亜種テネブリオニス（Ｂａｃｉｌｌｕｓ  ｔｈｕｒｉｎｇｉｅｎｓｉｓ  ｓｕｂｓｐｅｃｉｅｓ  ｔｅｎｅｂｒｉｏｎｉｓ）、およびＢＴ作物タンパク質：Ｃｒｙ１Ａｂ、Ｃｒｙ１Ａｃ、Ｃｒｙ１Ｆａ、Ｃｒｙ２Ａｂ、ｍＣｒｙ３Ａ、Ｃｒｙ３Ａｂ、Ｃｒｙ３Ｂｂ、Ｃｒｙ３４／３５Ａｂ１；
１２）ミトコンドリアＡＴＰ合成酵素の阻害薬、例えばジアフェンチウロン；または有機スズ系殺ダニ剤、例えばアゾシクロチン、シヘキサチン、およびフェンブタチンオキシド；またはプロパルギット；またはテトラジホン；
１３）プロトン勾配を遮断することにより作用する酸化的リン酸化の脱共役剤、例えばクロルフェナピル、ＤＮＯＣおよびスルフルラミド；
１４）ニコチン作用性アセチルコリン受容体（ｎＡＣｈＲ）チャンネル遮断薬、例えばベンスルタップ、カルタップ塩酸塩、チオシクラム、およびチオスルタップ−ナトリウム；
１５）キチン生合成阻害剤、０型、例えばビストリフルロン、クロルフルアズロン、ジフルベンズロン、フルシクロクスロン、フルフェノクスロン、ヘキサフルムロン、ルフェヌロン、ノバルロン、ノビフルムロン、テフルベンズロンおよびトリフルムロン；
１６）キチン生合成阻害剤、１型、例えばブプロフェジン；
１７）脱皮攪乱物質、例えばシロマジン；
１８）エクジソン受容体作動薬、例えばクロマフェノジド、ハロフェノジド、メトキシフェノジドおよびテブフェノジド；
１９）オクトパミン受容体作動薬、例えばアミトラズ；
２０）ミトコンドリア複合体ＩＩＩ電子伝達阻害剤、例えばヒドラメチルノン；またはアセキノシル；またはフルアクリピリム；
２１）ミトコンドリア複合体Ｉ電子伝達阻害剤、例えばＭＥＴＩ系殺ダニ剤、例えばフェナザキン、フェンピロキシメート、ピリミジフェン、ピリダベン、テブフェンピラドおよびトルフェンピラド；またはロテノン（デリス）；
２２）電圧依存性ナトリウムチャンネル遮断薬、例えばインドキサカルブ；またはメタフルミゾン；
２３）アセチル−ＣｏＡカルボキシラーゼの阻害薬、例えばテトロン酸誘導体およびテトラミン酸誘導体、例えばスピロジクロフェン、スピロメシフェンおよびスピロテトラマト；
２４）ミトコンドリア複合体ＩＶ電子伝達阻害剤、例えばホスフィン類、例えばリン化アルミニウム、リン化カルシウム、ホスフィンおよびリン化亜鉛；またはシアン化物；
２５）ミトコンドリア複合体ＩＩ電子伝達阻害剤、例えばシエノピラフェンおよびシフルメトフェン；
２８）リアノジン受容体調節剤、例えばジアミド系、例えば（１９．１）クロラントラニリプロール、（１９．２）シアントラニリプロールおよび（１９．３）フルベンジアミド。
【００７２】
作用機序が未知もしくは未確定のさらなる有効成分、例えばアフィドプロペン、アザジラクチン、ベンクロチアズ、ベンゾキシメート、ビフェナゼート、ブロモプロピレート、キノメチオナ−ト、氷晶石、ジコホル、ジフロビダジン、フルエンスルホン、フロメトキン、フルフェネリム、フルフェノキシストロビン、フルフィプロール、フルオピラム、フルピラジフロン、フフェノジド、ヘプタフルトリン、イミダクロチズ、イプロジオン、メペルフルスリン、パイコンジン（Ｐａｉｃｈｏｎｇｄｉｎｇ）、ピフルブミド、ピリフルキナゾン、ピリミノストロビン（Ｐｙｒｉｍｉｎｏｓｔｒｏｂｉｎ）、テトラメチルフルスリン、およびヨードメタン；そしてさらに、バチルス・ファーマス（Ｂａｃｉｌｌｕｓ  ｆｉｒｍｕｓ）（特に菌株ＣＮＣＭ  Ｉ−１５８２、例えばＶＯＴｉＶＯ（商標名）、ＢｉｏＮｅｍなど（これに限定されるものではない））または以下の既知の活性化合物：３−ブロモ−Ｎ−｛２−ブロモ−４−クロロ−６−［（１−シクロプロピルエチル）カルバモイル］フェニル｝−１−（３−クロロピリジン−２−イル）−１Ｈ−ピラゾール−５−カルボキサミド（ＷＯ２００５／０７７９３４から公知）および１−｛２−フルオロ−４−メチル−５−［（２，２，２−トリフルオロエチル）スルフィニル］フェニル｝−３−（トリフルオロメチル）−１Ｈ−１，２，４−トリアゾール−５−アミン（ＷＯ２００６／０４３６３５から公知）、｛１′−［（２Ｅ）−３−（４−クロロフェニル）プロパ−２−エン−１−イル］−５−フルオロスピロ［インドール−３，４′−ピペリジン］−１（２Ｈ）−イル｝（２−クロロピリジン−４−イル）メタノン（ＷＯ２００３／１０６４５７から公知）、２−クロロ−Ｎ−［２−｛１−［（２Ｅ）−３−（４−クロロフェニル）プロパ−２−エン−１−イル］ピペリジン−４−イル｝−４−（トリフルオロメチル）フェニル］イソニコチンアミド（ＷＯ２００６／００３４９４から公知）、３−（２，５−ジメチルフェニル）−４−ヒドロキシ−８−メトキシ−１，８−ジアザスピロ［４．５］デカ−３−エン−２−オン（ＷＯ２００９／０４９８５１から公知）、３−（２，５−ジメチルフェニル）−８−メトキシ−２−オキソ−１，８−ジアザスピロ［４．５］デカ−３−エン−４−イルエチルカルボネート（ＷＯ２００９／０４９８５１から公知）、４−（ブタ−２−イン−１−イルオキシ）−６−（３，５−ジメチルピペリジン−１−イル）−５−フルオロピリミジン（ＷＯ２００４／０９９１６０から公知）、４−（ブタ−２−イン−１−イルオキシ）−６−（３−クロロフェニル）ピリミジン（ＷＯ２００３／０７６４１５から公知）、ＰＦ１３６４（ＣＡＳ登録番号１２０４７７６−６０−２）、４−［５−（３，５−ジクロロフェニル）−５−（トリフルオロメチル）−４，５−ジヒドロ−１，２−オキサゾール−３−イル］−２−メチル−Ｎ−｛２−オキソ−２−［（２，２，２−トリフルオロエチル）アミノ］エチル｝ベンズアミド（ＷＯ２００５／０８５２１６から公知）、４−｛５−［３−クロロ−５−（トリフルオロメチル）フェニル］−５−（トリフルオロメチル）−４，５−ジヒドロ−１，２−オキサゾール−３−イル｝−Ｎ−｛２−オ��ソ−２−［（２，２，２−トリフルオロエチル）アミノ］エチル｝−１−ナフタミド（ＷＯ２００９／００２８０９から公知）、メチル２−［２−（｛［３−ブロモ−１−（３−クロロピリジン−２−イル）−１Ｈ−ピラゾール−５−イル］カルボニル｝アミノ）−５−クロロ−３−メチルベンゾイル］−２−メチルヒドラジンカルボキシレート（ＷＯ２００５／０８５２１６から公知）、メチル２−［２−（｛［３−ブロモ−１−（３−クロロピリジン−２−イル）−１Ｈ−ピラゾール−５−イル］カルボニル｝アミノ）−５−シアノ−３−メチルベンゾイル］−２−エチルヒドラジンカルボキシレート（ＷＯ２００５／０８５２１６から公知）、メチル２−［２−（｛［３−ブロモ−１−（３−クロロピリジン−２−イル）−１Ｈ−ピラゾール−５−イル］カルボニル｝アミノ）−５−シアノ−３−メチルベンゾイル］−２−メチルヒドラジンカルボキシレート（ＷＯ２００５／０８５２１６から公知）、メチル２−［３，５−ジブロモ−２−（｛［３−ブロモ−１−（３−クロロピリジン−２−イル）−１Ｈ−ピラゾール−５−イル］カルボニル｝アミノ）ベンゾイル］−２−エチルヒドラジンカルボキシレート（ＷＯ２００５／０８５２１６から公知）、１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミド（ＷＯ２０１０／０６９５０２から公知）、Ｎ−［２−（５−アミノ−１，３，４−チアジアゾール−２−イル）−４−クロロ−６−メチルフェニル］−３−ブロモ−１−（３−クロロピリジン−２−イル）−１Ｈ−ピラゾール−５−カルボキサミド（ＣＮ１０２０５７９２５から公知）、３−クロロ−Ｎ−（２−シアノプロパン−２−イル）−Ｎ−［４−（１，１，１，２，３，３，３−ヘプタフルオロプロパン−２−イル）−２−メチルフェニル］フタルアミド（ＷＯ２０１２／０３４４７２から公知）、８−クロロ−Ｎ−［（２−クロロ−５−メトキシフェニル）スルホニル］−６−（トリフルオロメチル）イミダゾ［１，２−ａ］ピリジン−２−カルボキサミド（ＷＯ２０１０／１２９５００から公知）、８−クロロ−Ｎ−［（２−クロロ−５−メトキシフェニル）スルホニル］−６−（トリフルオロメチル）イミダゾ［１，２−ａ］ピリジン−２−カルボキサミド（ＷＯ２００９／０８０２５０から公知）、Ｎ−［（２Ｅ）−１−［（６−クロロピリジン−３−イル）メチル］ピリジン−２（１Ｈ）−イリデン］−２，２，２−トリフルオロアセトアミド（ＷＯ２０１２／０２９６７２から公知）、１−［（２−クロロ−１，３−チアゾール−５−イル）メチル］−４−オキソ−３−フェニル−４Ｈ−ピリド［１，２−ａ］ピリミジン−１−イウム−２−オレート（ＷＯ２００９／０９９９２９から公知）、１−［（６−クロロピリジン−３−イル）メチル］−４−オキソ−３−フェニル−４Ｈ−ピリド［１，２−ａ］ピリミジン−１−イウム−２−オレート（ＷＯ２００９／０９９９２９から公知）、（５Ｓ，８Ｒ）−１−［（６−クロロピリジン−３−イル）メチル］−９−ニトロ−２，３，５，６，７，８−ヘ��サヒドロ−１Ｈ−５，８−エポキシイミダゾ［１，２−ａ］アゼピン（ＷＯ２０１０／０６９２６６から公知）、（２Ｅ）−１−［（６−クロロピリジン−３−イル）メチル］−Ｎ′−ニトロ−２−ペンチリデンヒドラジンカルボキシイミドアミド（ＷＯ２０１０／０６０２３１から公知）、４−（３−｛２，６−ジクロロ−４−［（３，３−ジクロロプロパ−２−エン−１−イル）オキシ］フェノキシ｝プロポキシ）−２−メトキシ−６−（トリフルオロメチル）ピリミジン（ＣＮ１０１３３７９４０から公知）、Ｎ−［２−（ｔｅｒｔ−ブチルカルバモイル）−４−クロロ−６−メチルフェニル］−１−（３−クロロピリジン−２−イル）−３−（フルオロメトキシ）−１Ｈ−ピラゾール−５−カルボキサミド（ＷＯ２００８／１３４９６９から公知）に基づいた製剤。
【００７３】
前記農薬または複数の農薬は、上記の物質から独立に選択することができ、いずれか可能な形で組み合わせることもできるが、好ましくは、少なくとも一つの農薬はイソチアニル、セダキサン、ペンフルフェン、アゾール系殺菌剤、特にはテブコナゾール、イプコナゾール、プロピコナゾールもしくはジフェノコナゾール、ストロビルリン類、特にはトリフロキシストロビン、アゾキシストロビンもしくはピコキシストロビン、ペンチオピラド、メタラキシル、フルジオキソニル、チアジニル、フィプロニル、フルベンジアミド、クロラントラニリプロール、シアントラニリプロール、イミダクロプリド、チアクロプリド、チアメトキサム、クロチアニジン、スピノサド、エチプロールまたはこれらの混合物、好ましくはイソチアニルとトリフロキシストロビン、イソチアニルとペンフルフェン、ペンフルフェンとトリフロキシストロビン、またはイソチアニルとアセタミプリドの組み合わせから選択される。特に好ましいものはイソチアニルである。これらの農薬は、イネ特有の病害および有害生物に適合していることから、そして本発明のコポリマーがコーティングされた種子からのこれら物質の洗い落としを効果的に防止することから、イネ種子の本発明によるコーティングに特に好ましい。
【００７４】
種子コーティング剤はさらに、少なくとも一つの着色剤、界面活性剤、有機溶媒および／またはさらなるポリマーもしくはコポリマーを含むことができる。赤、緑、青などの着色剤を加えるのは、イネ種子を処理していることが誰にも明らかであることから、コーティングされたイネを意図せずに食品目的に使用する危険性が大きく低下するという利点がある。さらに、着色剤は、浸漬およびインキュベーションに種子表面にコーティング剤が残留していることを示すことができる。着色剤は例えば、それの色によってだけではなく、コーティングに使用される農薬と同様である限りにおいてコーティングからのそれのにじみ挙動によっても選択できるものと考えられる。従って、施用者は、コーティングの洗い落としが実際には起こっていないことを実際に見ることができる。この文脈において、着色剤は、例えば色と農薬含有量の間の関係を示すカラー表を用いて浸漬前後の種子の色を比較することで、にじみ挙動の半定量的基準として用いることができる。浸漬前後の色の強さに関しては、分光法も用いることができる。さらに、着色剤は、全ての種子全体のまたは全ての種子間でのコーティングの均一性に関するコーティングの外観を示すこともできる。
【００７５】
使用される着色剤は、可視色のもの、またはＵＶ色素であることができる。無機着色剤を用いる場合、それは同時に、微量元素源として働くことができる。
【００７６】
コーティングは、あらゆる可能な構造または層順序を有することができる。一つの好ましい実施形態によれば、コポリマーおよび農薬を種子への施用前に混和するが、特には、コーティングされたイネ種子を次に、さらなる農薬、好ましくは殺虫剤で処理する。コポリマーと混和される農薬は好ましくは殺菌剤である。
【００７７】
あるいは、コポリマーおよび農薬を種子に順次施用することができるが、好ましくは種子を最初に一つの農薬でコーティングし、次にコポリマーでコーティングする。
【００７８】
コポリマーの施用量は、広い範囲で変動させ得る。その施用量は例えば、未処理種子重量に対して０．００１から２．５重量％、特には０．０１から１．２５重量％、好ましくは０．０２５から１重量％である。
【００７９】
農薬の施用量は主として、必要用量によって決まり、当業者た調整することができる。１例を挙げると、農薬の施用量は、未処理種子重量に対して０．００１から５重量％、特には０．０１から２．５重量％、好ましくは０．０５から１重量％である。限定的ではないが、具体的な殺菌剤の例を挙げると、イソチアニルの施用量は、０．０５から２重量％、特には０．１から１重量％から選択することができ、トリフロキシストロビンの施用量は０．０１から１重量％から、特には０．０５から０．５重量％から選択することができ、これらはそれぞれ未処理種子重量に対するものである。
【００８０】
農薬は、いずれか使用可能な形態または製剤で、いくつか例を挙げると、例えば固体、例えば（水和）粉剤、水溶性製剤、液体製剤、施用可能な液体、水系懸濁液、分散液もしくは乳濁液、マイクロカプセル製剤として使用することができる。その製剤は、公知の方法によって、例えば農薬を展開剤、すなわち液体もしくは固体の希釈剤もしくは担体と、そして場合により界面活性剤、すなわち乳化剤および／または分散剤と混和することで得ることができる。その場合、水を展開剤として用い、有機溶媒を例えば、補助溶媒として用いることができる。
【００８１】
本発明において、農薬の水系懸濁液が、作業性の観点から好ましい。水系懸濁液剤として、農薬に加えて水、界面活性剤、液体希釈剤（有機溶媒）およびポリマー樹脂、特にはアクリル樹脂（アクリル酸アルキルエステルおよび／またはメタクリル酸アルキルエステルからなる（コ）ポリマー樹脂）を含む水系懸濁液組成物が、効果持続性の観点から特に好ましい。
【００８２】
消泡剤、防腐剤、増粘剤、分散剤、凍結防止剤などを、必要に応じて前記農薬水系懸濁液に加えることができる。水系懸濁液組成物中に好ましい農薬含有量は、１から５０重量％、特には５から４０重量％である。好ましい界面活性剤含有量は、０．０１から１０重量％、特には０．１から５重量％である。好ましい希釈剤含有量は、１から５０重量％、特には５から３０重量％である。好ましいアクリル樹脂含有量は０．１から２０重量％、特には１から１０重量％である。消泡剤、防腐剤および増粘剤などの他の点か成分については、好ましい総含有量は０から１０重量％、特には０．１から５重量％である。顆粒状ポリマー樹脂が水系懸濁液組成物中のポリマー樹脂として好ましく、粉砕などによって微粉砕されたものが特に好ましい。
【００８３】
液体希釈剤または担体の例としては、芳香族炭化水素類（例えば、キシレン、トルエン、アルキルナフタレン等）、クロル化芳香族またはクロル化脂肪族炭化水素類（例えば、クロロベンゼン類、塩化エチレン類、塩化メチレン等）、脂肪族炭化水素類［例えば、シクロヘキサン等、パラフィン類（例えば鉱油留分等）］、アルコール類（例えば、ブタノール、エチレングリコール、プロピレングリコールなどのグリコール類などのＣ２−１０アルコール類、ならびにそれらのエーテル類、エステル類等）、ケトン類（例えば、アセトン、メチルエチルケトン、メチルイソブチルケトン、シクロヘキサノン等）、強極性溶媒（例えば、ジメチルホルムアミド、ジメチルスルホキシド等）、水などを挙げることができる。
【００８４】
固体希釈剤の例としては、粉砕天然鉱物（例えば、カオリン、クレー、タルク、チョーク、石英、アタパルガイド、モンモリロナイトまたは珪藻土等）、粉砕合成鉱物（例えば、ベントナイト、ケイ酸、アルミナ、ケイ酸塩、珪砂等）などを挙げることができる。粒剤用の固体担体の例としては、粉砕および分別された岩石（例えば、方解石、大理石、軽石、海泡石、白雲石等）、無機または有機物粉の合成粒、有機物質（例えば、おがくず、ココやしの実のから、トウモロコシの穂軸、タバコの茎等）の細粒体などを挙げることができる。
【００８５】
界面活性剤の例としては、ノニオン系およびアニオン系乳化剤［例えば、ポリオキシエチレン脂肪酸エステル、ポリオキシエチレン脂肪酸アルコールエーテル（例えば、アルキルアリールポリグリコールエーテル、アルキルスルホン酸塩、アルキル硫酸塩、アリールスルホン酸塩等）、トリスチリルフェノール類およびそれらのエトキシレート類］、アルブミン加水分解物などを挙げることができる。
【００８６】
分散剤の例としては、リグニンサルファイト廃液、メチルセルロースなどを挙げることができる。
【００８７】
固着剤も、製剤（粉剤、粒剤、乳濁液）に加えることができ、その固着剤の例としては、カルボキシメチルセルロース、天然または合成ポリマー（例えば、アラビアガム、ポリビニルアルコール類、ポリ酢酸ビニル類等）などを挙げることができる。
【００８８】
着色剤も製剤で使用することができ、その着色剤の例としては、無機顔料（例えば、酸化鉄、酸化チタン、プルシアンブルーなど）、およびアリザリン色素、アゾ色素または金属フタロシアニン色素のような有機色素、そしてさらに、鉄、マンガン、ホウ素、銅、コバルト、モリブデン、亜鉛等の金属塩のような微量元素を挙げることができる。
【００８９】
本発明のコーティング剤をイネ種子に提供する方法については特に制限はない。コーティング剤の組成物は、液体製剤であることができるが、農薬が固体であり、コポリマーが液体であることも可能である。そのような場合、粉末コート法によって農薬を種子表面上に付与し、次にコポリマーについて液体コーティング法を行うことができる。コーティング剤は１段階で施用することができるが、さらなるコーティング層を付与する予定の場合には２段階以上で施用することもできる。
【００９０】
粉末コーティングの方法として、例えば、イネ種子および農薬を回転式ドラムに入れ、そのドラムを回転させることでイネ種子を農薬で均一にコーティングする方法がある。農薬を噴霧する方法として、例えば、（１）農薬、コポリマーまたは両方の混合物を適切なノズルを用いることでホッパーなどから落下するイネ種子に直接噴霧する方法、（２）振動ガイドプレートをホッパーから苗床箱に取り付け、イネ種子がプレート上で跳ねながら通過する時に適切なノズルを用いてイネ種子に農薬、コポリマーまたは両方の混合物を噴霧する方法、および（３）イネ種子が通過するドラムをホッパーと苗床箱上の間に設置し、ドラムを通過するイネ種子に農薬、コポリマーまたは両方の混合物を噴霧する方法がある。
【００９１】
小規模でイネ種子に農薬、コポリマーまたは両方の混合物を噴霧する方法として、イネ種子をモルタルミキサーのような回転式機械に入れ、所定用量の農薬、コポリマーまたは両方の混合物を適切な噴霧器でイネ種子に均一に噴霧する方法も用いることができる。そしてさらに、イネ種子を、イネ種子の体積の２から３倍の体積を有するプラスチック袋または適切な容器に入れ、農薬、コポリマーまたは両方の混合物を加えた後に、それを閉じ（プラスチック袋の場合、袋の内部に空気を充填することで袋全体を膨らませた後に袋の入口を閉じる）、揺らし、撹拌することで、農薬、コポリマーまたは両方の混合物を容器もしくは袋全体内部で広げる方法も用いることができる。
【００９２】
多量のイネ種子に噴霧する場合、農薬、コポリマーまたは両方の混合物を噴霧する苗床箱用の播種機械に至る輸送手段の中央に噴霧ノズルを設置することが可能である。その後に、混合段階および適宜の乾燥段階を行うことができる。
【００９３】
本発明のさらなる実施形態は、イネ種子処理剤であって、当該処理剤が
エチレン−酢酸ビニルコポリマーおよび
少なくとも一つの農薬
を含む処理剤である。
【００９４】
イネ種子処理剤は、例外なく本発明の方法に関して上記で記載の改変を有することができる。
【００９５】
本発明のさらに別の実施形態は、本発明のイネ種子処理剤で少なくとも部分的にコーティングされているコーティングされたイネ種子である。
【００９６】
上記で記載のように、本発明のコーティングは、発芽率にほとんど影響なく種子を病害および有害生物から保護する。従って、播種前の水浸漬およびインキュベーションを含む施用者に公知であるイネ種子の代表的な作製を維持することができる。好ましくは、本発明のコーティングされたイネ種子は、２５℃の水へのイネ種子の浸漬とそれに続く浸漬イネ種子の７℃で１４４時間（６日）のインキュベーション後に、同じ品種および植物齢の未処理イネ種子と比較して０から１０％、好ましくは０から５％の平均発芽率低下を示す。種子の浸漬は、例えば、ティッシュペーパー上の種子３０個を広げ、その紙の上に水５０ｍＬを噴霧することで行う。次に、紙を巻き取り、密閉ジャー内に入れ、暗所で、例えば冷蔵庫で上記温度・湿度条件に曝露する。発芽試験を上記で説明した試験条件下で行い、無作為に選択された少なくとも３０個の種子をカウントすることで評価を行う。この試験は、浸漬および異なる容器中でインキュベートした少なくとも３種類のサンプルで行って、平均発芽率を計算する。
【００９７】
さらに、数ヶ月間にわたりほとんど発芽率低下および／または農薬の活性低下を起こすことなく、コーティングされたイネ種子を貯蔵することができる。
【００９８】
本発明のコーティングされたイネ種子によって、洗い落としまたはにじみによる農薬の損失をほとんど起こすことなく水に浸漬することができる。従って、本発明の好ましい実施形態において、コーティングされたイネ種子は、２５℃で２４時間にわたるイネ種子の水への浸漬時に、コーティング剤中の農薬の総重量と比較して５重量％以下、特には３重量％以下．の農薬放出率を示す。農薬は特には、殺菌剤から選択される。
【００９９】
本発明の別の実施形態は、植え付け前の真菌病害および／または有害生物に対してイネ植物の発芽苗を保護する方法であって、
ａ．特に少なくとも１２時間にわたり、好ましくは１０から４０℃の温度で、より好ましくは２０から３０℃で本発明によるコーティングされたイネ種子を水に浸漬する段階、および
ｂ．所望に応じて、少なくとも３６時間にわたり、特には少なくとも７２時間にわたり浸漬イネ種子をインキュベートする段階
を有し、
適宜に、少なくとも一つの別の農薬を浸漬および／またはインキュベーション時にイネ種子に施用し、前記さらなる農薬が特には殺虫剤、好ましくはチアメトキサム、イミダクロプリド、クロチアニジンまたはそれらの混合物である方法である。この方法により、例えば、昆虫有害生物の危険性が顕著である場合、実際の要件に保護プロファイルを調節することが可能である。例えば苗床箱（例えば、６０ｃｍ×３０ｃｍ×３ｃｍの大きさを有する）での浸漬または適宜のインキュベーション段階後に、イネ種子を蒔くことができる。しかしながら、イネ種子を、栽培するために浸漬後に圃場に直接蒔くか、後に移植するために圃場苗床システムに蒔くことも本発明の範囲内である。
【０１００】
基本的に、イネ種子の浸漬方法に関して制限はなく、上記の発芽苗保護方法において、６０から１４０℃・日の積算温度（例えば、１３から１４℃で７から１０日間）でイネ種子に十分な水を吸収させることが好ましい。インキュベーションは、例えば浸漬後、２０から４０℃で、好ましくは２５から３５℃で、少なくとも２４時間、好ましくは少なくとも７２または１３２時間にわたって行うことができる。
【０１０１】
イネ種子を苗床箱に蒔き、土で覆い、後にイネの苗を発生させ、水田に苗を植え、移植後にイネを育てる方法は特に制限されず、一般に公知の方法を採用することができる。例えば、種子を土で覆った後、各苗床箱を苗床キャビネットに置き、種子を発芽させ、次に苗床箱を苗床棟に移動させ、さらに育てる。耕転機などを用いることで発生した苗を水田に移植する必要があるのみである。水田に移植した後のイネの生育方法に関しても制限はなく、従来法に従ってイネを生育させることができる。
【０１０２】
本発明のコーティング剤は代表的には、個々の農薬で直接コーティングした種子と比較して長く持続する保護を可能とし、必要な農薬量を少なくすることができる。例えば、イネ植物の発芽苗を保護する本発明の方法において、浸漬およびインキュベート種子の移植から５０日以上、特には６０日以上、病害および／または有害生物保護がなおも観察され得る。保護を行う代表的な病害は、糸状菌および／または微生物によって引き起こされる。病害は特には、イネイモチ病（ピリクラリア・オリザエ（Ｐｙｒｉｃｕｌａｒｉａ  ｏｒｙｚａｅ）に起因）、イネ褐点病もしくはイネ赤かび病（コクリオボルス・ミヤベアヌス（Ｃｏｃｈｌｉｏｂｏｌｕｓ  ｍｉｙａｂｅａｎｕｓ）に起因）、イネ紋枯病（リゾクトニア・ソラニ（Ｒｈｉｚｏｃｔｏｎｉａ  ｓｏｌａｎｉ）に起因）、イネ白葉枯病（キサントモナス・オリザエｐｖ．オリザエ（Ｘａｎｔｈｏｍｏｎａｓ  ｏｒｙｚａｅ  ｐｖ．  ｏｒｙｚａｅ）に起因）、イネもみ枯細菌病（ブルクホルデリア・グルマエ（Ｂｕｒｋｈｏｌｄｅｒｉａ  ｇｌｕｍａｅ）に起因）またはこれらの組み合わせから選択される。
【０１０３】
本発明の発芽苗の保護方法のさらなる態様において、有害生物は、特に、イネミズゾウムシ（Ｌｉｓｓｏｒｈｏｐｔｒｕｓ  ｏｒｙｚｏｐｈｉｌｕｓ）、イネドロオイムシ（Ｏｕｌｅｍａ  ｏｒｙｚａｅ  Ｋｕｗａｙａｍａ）、ウンカ科（Ｄｅｌｐｈａｃｉｄａｅ）、ツマグロヨコバイ（Ｎｅｐｈｏｔｅｔｔｉｘ  ｃｉｎｃｔｉｃｅｐｓ）、イネミギワバエ（Ｈｙｄｒｅｌｌｉａ  ｇｒｉｓｅｏｌａ）（ｒｉｃｅ  ｌｅａｆ  ｍｉｎｅｒ）、イチモンジセセリ（Ｐａｒｎａｒａ  ｇｕｔｔａｔａ）（ｒｉｃｅ  ｓｋｉｐｐｅｒ）、フタオビコヤガ（Ｎａｒａｎｇａ  ａｅｎｅｓｃｅｎｓ  Ｍｏｏｒｅ）、コブノメイガ（Ｃｎａｐｈａｌｏｃｒｏｃｉｓ  ｍｅｄｉｎａｌｉｓ）、ニカメイガ（Ｃｈｉｌｏ  ｓｕｐｐｒｅｓｓａｌｉｓ）、イネアザミウマ（Ｓｔｅｎｃｈａｅｔｏｔｈｒｉｐｓ  ｂｉｆｏｒｍｉｓ）（ｒｉｃｅ  ｔｈｒｉｐｓ）またはこれらの組み合わせから選択される動物有害生物である。
【０１０４】
以下の実施例に基づいて、本発明をさらに説明する。
【０１０５】
使用される物質：
農薬製剤：
農薬として、イソチアニル（２００ｇ／Ｌ）およびトリフロキシストロビン（８０ｇ／Ｌ）を含む水系製剤を用いた。その製剤は、約６０重量％の全含水量を有しており、さらには２．５重量％の赤色顔料ならびに消泡剤、増粘剤などのさらなる添加剤の混合物を含んでいた。これはさらに、下記において「農薬製剤」と称される。
【０１０６】
コポリマー：
コポリマーとして、非可塑化水系コポリマー分散液を用いた。
【０１０７】
Ａｔｌｏｘ（商標名）１６５６：Ｃｒｏｄａ  Ｃｒｏｐ  Ｃａｒｅからの製品、下記のモノマーに基づく非可塑化水系コポリマー分散液
モノマーＡ
ＣＡＳ番号１０８−０５−４、酢酸ビニル
Ｃ４Ｈ６Ｏ２、ＡｃＯ−ＣＨ＝ＣＨ２
３５から５０％
モノマーＢ
ＣＡＳ番号１０３−１１−７、アクリル酸２−エチルヘキシル
Ｃ１１Ｈ２０Ｏ２
【化２】
2017535254.tif 000003
【０１０８】
２５から５５％軟（メタ）アクリル酸モノマー
モノマーＣ
ＣＡＳ番号７４−８５−１、エチレン
ＣＨ２＝ＣＨ２
５から２５％。
【０１０９】
モノマーＡ＋Ｂ＋Ｃのパーセンタイルは合計で１００％となる。
【０１１０】
さらに、このコポリマー自体はアクリル酸を含まないが、合成の一貫としてそれを加え得ることから、生成物は含む。
【０１１１】
モノマーＤ
ＣＡＳ番号７９−１０−７、アクリル酸
Ｃ３Ｈ４Ｏ２
【化３】
2017535254.tif 000004
【０１１２】
生成物全体、すなわちコポリマー分散液中で０から５％存在。
【０１１３】
アクリル酸を最初に、重合反応を開始することができる。このアクリル酸は、コポリマーの一部を形成するのではなく、生成物中に残留することから、モノマーおよびコポリマーとは異なるアクリル酸ポリマーとして存在する。
【０１１４】
コポリマー分散液は、大体５９から６１重量％の固体含有量を有する（ＤＩＮ  ＥＮ  ＩＳＯ３２５１；３０分；１３０℃）。
【０１１５】
製造されたポリマーのＴｇは−３０℃である。その分散液は、可塑剤もアルキルフェノールエトキシレートも含まない。
【０１１６】
ブルックフィールド粘度（ＤＩＮ  ＥＮ  ＩＳＯ２５５５；ＲＶＴ；スピンドル番号４；２０ｒｐｍ、２５℃）−下限−２，０００ｍＰａ・ｓ、上限−ｍＰａ・ｓ１０，０００ｍＰａ・ｓ。
【０１１７】
ｐＨ値（ＤＩＮ  ＩＳＯ９７６；水と１：１）−下限−４．５、上限−６．５。
【０１１８】
分散液での粒径−下限−０．２μｍ、上限−２．０μｍ、角度４０°でスプレー乾燥粒子について２Ｗ／５３２ｎｍでのＮｄ：ＹＶＯ４レーザー（Ｍｉｌｌｅｎｉｅ  ＩＩ）およびバイアルカリ光電陰極４５１７型（Ｆａ．  Ｂｕｒｌｅ）を用いるレーザー−エアロゾル分光法による測定（８０ｎｍから５５０ｎｍの範囲で計算）。
【０１１９】
最低フィルム形成温度（ＭＦＦＴ）（ＤＩＮ  ＩＳＯ２１１５）−０℃。
【０１２０】
実験：
種子処理製剤の調製：
下記の本発明および比較の種子処理製剤を調製した。
【表１】
2017535254.tif 000005
【０１２１】
種子処理製剤を得るため、ポリマー分散液を６０ｍＬジャーに加え、農薬製剤を加えた。混合物について、使用前に、９５００ｒｐｍで２分間ＩＫＡ  Ｕｌｔｒａ  Ｔｕｒｒａｘで高剪断混合を行い、その後３０分間回転させた。
【０１２２】
種子処理
コーティングされたイネ種子を作るため、バッフル付きフラスコ中、種子処理製剤１．００ｇをイネ種子５０．０ｇに加え、室温で３０分間回転させることで、種子表面全体に均一にコーティングを広げた。施用量は、液体種子処理製剤基準で２０ｇ／ｋｇ乾燥イネ種子と等価である。「乾燥」は、その文脈において、種子が、イネ種子に代表的な残存含水量、例えば１４重量％以下を有することを意味する。種子処理製剤は赤色が非常に強いことから、裸眼によって、均一なコーティングを観察することができる。さらに、フラスコ表面には赤色はほとんどなく、それは、種子処理製剤がガラスより種子の方により強く付着することを示している。その後、種子を平板上に広げ、室温で１日乾燥させた。
【０１２３】
洗い落とし水中の農薬放出のＨＰＬＣ測定
農薬のイネ種子への接着性を求めるため、コーティングされた乾燥種子を、水およびインキュベーション調製液に浸漬したが、それは播種前に代表的な方法である。この手順の際、浸漬水のサンプルを一定の時間点で採取し、イソチアニルおよびトリフロキシストロビンに関するそれの含有量に関してＨＰＬＣによる分析を行った。
【０１２４】
理論最大放出に相当する濃度（１００重量％）は、イソチアニルおよびトリフロキシストロビンそれぞれについて７２０μｇ／ｍＬおよび２８８μｇ／ｍＬと計算され、それら物質の放出速度はこれらの量に関連していた。
【０１２５】
コポリマー分散液を含む本発明の実施例１および２ならびに比較例３は、４８時間後に、下記のイソチアニルおよびトリフロキシストロビン放出を示した。
【０１２６】
実施例１：０．２重量％イソチアニル；０．８重量％トリフロキシストロビン
実施例２：０．６重量％イソチアニル；１．３重量％トリフロキシストロビン
実施例３：６．５重量％イソチアニル；１１．８重量％トリフロキシストロビン。
【０１２７】
実施例１と２の間の比較により、コポリマー濃度が５０重量％低下することで、イソチアニル放出が４８時間後で０．３％から０．６％に増加し、トリフロキシストロビン放出が４８時間後で１．０から１．３％に増加し、それが５．３から８．０μｇ／ｍＬへの総有効成分濃度上昇に相当することが示される。
【０１２８】
発芽試験
発芽試験も行った。３０から４０個の量のイネ種子をティッシュペーパー上に広げ、水５０ｍＬをペーパー上に噴霧する。次に、ペーパーを巻き取り、密閉ジャーに入れ、７℃および相対湿度約５５％に曝露する。インキュベーションを１４４時間（６日間）行い、種子を、肉眼により発芽段階「発芽なし」、「わずかな発芽（芽または根＜１ｃｍ）」、「根のみ（芽５ｍｍ）」および「丈夫な根および芽」に群分けする。
【０１２９】
各候補について三連のサンプルについての試験からの発芽％結果を、下記の表３にまとめてある。
【表２】
2017535254.tif 000006
【０１３０】
全ての処理種子バッチにおける段階１から３発芽の種子のパーセントは、未処理対照と同様であった。段階４の処理種子の全てのバッチにおける発芽は、未処理対照と比較して若干低かった（サンプル１）。しかしながら、その実験は、本発明の実施例１および２を比較例３と比較することで有意差を認めることができないことを示している。
【０１３１】
結論
二つの本発明の実施例（実施例１および２）および一つの比較例（実施例３）は、本発明のコーティングが（ｉ）発芽に対して悪影響を全く持たないこと、および（ｉｉ）堅牢であって、改善された洗い落とし耐性を有することを示している。本発明の種子コーティング製剤は安定であり、種子表面に容易に付与することができ、混合機械部品上にほとんど残留がない。
【国際調査報告】
2017535254.tif 000008
2017535254.tif 000009
2017535254.tif 000010